(57)【特許請求の範囲】
【請求項１】
ワイヤレス通信のための装置によって実行されるワイヤレス通信の方法であって、
第１の送信時間間隔（ＴＴＩ）持続時間を有する第１のＴＴＩと前記第１のＴＴＩ持続時間よりも多い第２のＴＴＩ持続時間を有する第２のＴＴＩとで構成されたキャリア構成を識別することと、
前記第１のＴＴＩのリソースに関する第１の復調基準信号（ＤＭＲＳ）パターンを決定することと、ここにおいて、前記第１のＤＭＲＳパターンが、前記第２のＴＴＩのリソースに関する第２のＤＭＲＳパターンに少なくとも部分的に基づき、前記第１のＤＭＲＳパターンが、アンテナポートの第１のセットを使用し、前記第１のＤＭＲＳパターンが、アンテナポートの前記第１のセットに関連する第１のタイプの分割多重化方式で構成され、前記第１のタイプの分割多重化方式が、送信ランクに少なくとも部分的に基づいて複数の異なるタイプの分割多重化方式から選択され、前記第１のタイプの分割多重化方式が、第１の送信ランクに関連し、および周波数分割多重化（ＦＤＭ）、符号分割多重化（ＣＤＭ）、または時分割多重化（ＴＤＭ）のうちの１つを備え、前記複数の異なるタイプの分割多重化方式のうちの第２のタイプの分割多重化方式が、第２の送信ランクに関連し、およびＦＤＭ、ＣＤＭ、またはＴＤＭのうちの１つを備え、前記第１のタイプの分割多重化方式が、前記第２のタイプの分割多重化方式とは異なる、
前記第１のＤＭＲＳパターンに少なくとも部分的に基づいて前記第１のＴＴＩのリソースを使用して通信することと
を備える、方法。
【請求項２】
直交カバーコード（ＯＣＣ）は、前記第１のタイプの分割多重化方式を用いて適用される、請求項１に記載の方法。
【請求項３】
前記第２のＴＴＩは、ロングタームエボリューション（ＬＴＥ）サブフレームを備え、前記第１のＴＴＩは、１つまたは複数のＬＴＥシンボル期間を備える、請求項１に記載の方法。
【請求項４】
前記第１のＤＭＲＳパターンを示すシグナリングを受信することをさらに備え、前記第１のＤＭＲＳパターンが決定論的パターンを備える、請求項１に記載の方法。
【請求項５】
前記第１のＤＭＲＳパターンを示す前記シグナリングは、ポート値、もしくは低レイテンシデータチャネルおよび低レイテンシ制御チャネルの関係、またはそれらの任意の組合せのうちの少なくとも１つを備える、請求項４に記載の方法。
【請求項６】
前記第２のＴＴＩの制御領域を識別することと、
前記第２のＴＴＩの前記制御領域内の前記第１のＴＴＩ中に前記第１のＤＭＲＳパターンを使用する通信を控えることと
をさらに備える、請求項１に記載の方法。
【請求項７】
前記第２のＴＴＩ持続時間よりも少ない第３の持続時間を有する第３のＴＴＩを識別することと、
前記第３のＴＴＩのリソースに関するセル固有基準信号（ＣＲＳ）パターンを決定することと、
前記ＣＲＳパターンに少なくとも部分的に基づいて前記第３のＴＴＩのリソースを使用して通信することと
をさらに備える、請求項１に記載の方法。
【請求項８】
前記第１のＤＭＲＳパターンに少なくとも部分的に基づいて、前記第１のＴＴＩに関連する第１の低レイテンシ制御チャネル探索空間を監視することと、
前記ＣＲＳパターンに少なくとも部分的に基づいて、前記第３のＴＴＩに関連する第２の低レイテンシ制御チャネル探索空間を監視することと
をさらに備える、請求項７に記載の方法。
【請求項９】
前記第１のＴＴＩにおける制御チャネル探索空間を監視することをさらに備え、前記監視することが、前記第１のＤＭＲＳパターンまたはＣＲＳパターンに少なくとも部分的に基づく、請求項１に記載の方法。
【請求項１０】
前記第１のＴＴＩの前記リソースは、同じプリコーディングを有するリソースブロックのバンドルを備える、請求項１に記載の方法。
【請求項１１】
スクランブリング識別情報を含むシグナリングを受信することをさらに備え、通信することが、前記スクランブリング識別情報に少なくとも部分的に基づいて、前記第１のＤＭＲＳパターンのＤＭＲＳシンボルを前記第２のＤＭＲＳパターンのＤＭＲＳシンボルと区別することを備える、請求項１に記載の方法。
【請求項１２】
前記第１のＴＴＩのリソースを使用して前記通信することは、前記送信ランクに少なくとも部分的に基づく、請求項１に記載の方法。
【請求項１３】
前記第１のＤＭＲＳパターンに少なくとも部分的に基づいて第３のＴＴＩのリソースを使用して通信すること
をさらに備える、請求項１に記載の方法。
【請求項１４】
前記第３のＴＴＩは第３のＴＴＩ持続時間を有し、前記第２のＴＴＩ持続時間よりも少ない前記第３のＴＴＩ持続時間、請求項１３に記載の方法。
【請求項１５】
前記第３のＴＴＩは前記第２のＴＴＩ持続時間を有する、請求項１３に記載の方法。
【請求項１６】
ワイヤレス通信のための装置であって、
第１の送信時間間隔（ＴＴＩ）持続時間を有する第１のＴＴＩと前記第１のＴＴＩ持続時間よりも多い第２のＴＴＩ持続時間を有する第２のＴＴＩとで構成されたキャリア構成を識別するための手段と、
前記第１のＴＴＩのリソースに関する第１の復調基準信号（ＤＭＲＳ）パターンを決定するための手段と、ここにおいて、前記第１のＤＭＲＳパターンが、前記第２のＴＴＩのリソースに関する第２のＤＭＲＳパターンに少なくとも部分的に基づき、前記第１のＤＭＲＳパターンが、アンテナポートの第１のセットを使用し、前記第１のＤＭＲＳパターンが、アンテナポートの前記第１のセットに関連する第１のタイプの分割多重化方式で構成され、前記第１のタイプの分割多重化方式が、送信ランクに少なくとも部分的に基づいて複数の異なるタイプの分割多重化方式から選択され、前記第１のタイプの分割多重化方式が、第１の送信ランクに関連し、および周波数分割多重化（ＦＤＭ）、符号分割多重化（ＣＤＭ）、または時分割多重化（ＴＤＭ）のうちの１つを備え、前記複数の異なるタイプの分割多重化方式のうちの第２のタイプの分割多重化方式が、第２の送信ランクに関連し、およびＦＤＭ、ＣＤＭ、またはＴＤＭのうちの１つを備え、前記第１のタイプの分割多重化方式が、前記第２のタイプの分割多重化方式とは異なる、
前記第１のＤＭＲＳパターンに少なくとも部分的に基づいて前記第１のＴＴＩのリソースを使用して通信するための手段と
を備える、装置。
【請求項１７】
ワイヤレス通信のための装置であって、
プロセッサと、
前記プロセッサと電子通信しているメモリと、
前記メモリに記憶された命令とを備え、前記命令は、前記プロセッサによって実行されたとき、前記装置に、
第１の送信時間間隔（ＴＴＩ）持続時間を有する第１のＴＴＩと前記第１のＴＴＩ持続時間よりも多い第２のＴＴＩ持続時間を有する第２のＴＴＩとで構成されたキャリア構成を識別することと、
前記第１のＴＴＩのリソースに関する第１の復調基準信号（ＤＭＲＳ）パターンを決定することと、ここにおいて、前記第１のＤＭＲＳパターンが、前記第２のＴＴＩのリソースに関する第２のＤＭＲＳパターンに少なくとも部分的に基づき、前記第１のＤＭＲＳパターンが、アンテナポートの第１のセットを使用し、前記第１のＤＭＲＳパターンが、アンテナポートの前記第１のセットに関連する第１のタイプの分割多重化方式で構成され、前記第１のタイプの分割多重化方式が、送信ランクに少なくとも部分的に基づいて複数の異なるタイプの分割多重化方式から選択され、前記第１のタイプの分割多重化方式が、第１の送信ランクに関連し、および周波数分割多重化（ＦＤＭ）、符号分割多重化（ＣＤＭ）、または時分割多重化（ＴＤＭ）のうちの１つを備え、前記複数の異なるタイプの分割多重化方式のうちの第２のタイプの分割多重化方式が、第２の送信ランクに関連し、およびＦＤＭ、ＣＤＭ、またはＴＤＭのうちの１つを備え、前記第１のタイプの分割多重化方式が、前記第２のタイプの分割多重化方式とは異なる、
前記第１のＤＭＲＳパターンに少なくとも部分的に基づいて前記第１のＴＴＩのリソースを使用して通信することと
を行わせるように動作可能である、装置。
【請求項１８】
前記命令は、前記装置に、
前記第１のＤＭＲＳパターンを示すシグナリングを受信することを行わせるように実行可能であり、前記第１のＤＭＲＳパターンが決定論的パターンを備える、請求項１７に記載の装置。
【請求項１９】
前記命令は、前記装置に、
前記第２のＴＴＩの制御領域を識別することと、ここにおいて、前記第２のＴＴＩが前記第１のＴＴＩを備える、
前記第２のＴＴＩの前記制御領域内の前記第１のＴＴＩ中に前記第１のＤＭＲＳパターンを使用する通信を控えることと
を行わせるように実行可能である、請求項１７に記載の装置。
【請求項２０】
前記命令は、前記装置に、
前記第２のＴＴＩ持続時間よりも少ない第３のＴＴＩ持続時間を有する第３のＴＴＩを識別することと、
前記第３のＴＴＩのリソースに関するセル固有基準信号（ＣＲＳ）パターンを決定することと、
前記ＣＲＳパターンに少なくとも部分的に基づいて前記第３のＴＴＩのリソースを使用して通信することと
を行わせるように実行可能である、請求項１７に記載の装置。
【請求項２１】
前記命令は、前記装置に、
前記第１のＤＭＲＳパターンに少なくとも部分的に基づいて、前記第１のＴＴＩに関連する第１の低レイテンシ制御チャネル探索空間を監視することと、
前記ＣＲＳパターンに少なくとも部分的に基づいて、前記第３のＴＴＩに関連する第２の低レイテンシ制御チャネル探索空間を監視することと
を行わせるように実行可能である、請求項２０に記載の装置。
【請求項２２】
前記命令は、前記装置に、
前記第１のＴＴＩにおける制御チャネル探索空間を監視することを行わせるように実行可能であり、前記監視することが、前記第１のＤＭＲＳパターンまたはＣＲＳパターンに少なくとも部分的に基づく、請求項１７に記載の装置。
【請求項２３】
前記命令は、前記装置に、
スクランブリング識別情報を含むシグナリングを受信することを行わせるように実行可能であり、通信することが、前記スクランブリング識別情報に基づいて、前記第１のＤＭＲＳパターンのＤＭＲＳシンボルを前記第２のＤＭＲＳパターンのＤＭＲＳシンボルと区別することを備える、請求項１７に記載の装置。
【請求項２４】
前記命令は、前記装置に、
前記第１のＤＭＲＳパターンに少なくとも部分的に基づいて第３のＴＴＩのリソースを使用して通信することを行わせるように実行可能であり、前記第３のＴＴＩが第３のＴＴＩ持続時間を有し、前記第３のＴＴＩ持続時間が前記第２のＴＴＩ持続時間よりも少ない、請求項１７に記載の装置。
【請求項２５】
前記命令は、前記装置に、
前記第１のＤＭＲＳパターンに少なくとも部分的に基づいて第３のＴＴＩのリソースを使用して通信することを行わせるように実行可能であり、前記第３のＴＴＩが、前記第２のＴＴＩ持続時間に等しい持続時間を有する、請求項１７に記載の装置。
【請求項２６】
ワイヤレス通信のためのコードを記憶する非一時的コンピュータ可読記録媒体であって、前記コードは、
第１の送信時間間隔（ＴＴＩ）持続時間を有する第１のＴＴＩと前記第１のＴＴＩ持続時間よりも多い第２のＴＴＩ持続時間を有する第２のＴＴＩとで構成されたキャリア構成を識別することと、
前記第１のＴＴＩのリソースに関する第１の復調基準信号（ＤＭＲＳ）パターンを決定することと、ここにおいて、前記第１のＤＭＲＳパターンが、前記第２のＴＴＩのリソースに関する第２のＤＭＲＳパターンに少なくとも部分的に基づき、前記第１のＤＭＲＳパターンが、アンテナポートの第１のセットを使用し、前記第１のＤＭＲＳパターンが、アンテナポートの前記第１のセットに関連する第１のタイプの分割多重化方式で構成され、前記第１のタイプの分割多重化方式が、送信ランクに少なくとも部分的に基づいて複数の異なるタイプの分割多重化方式から選択され、前記第１のタイプの分割多重化方式が、第１の送信ランクに関連し、および周波数分割多重化（ＦＤＭ）、符号分割多重化（ＣＤＭ）、または時分割多重化（ＴＤＭ）のうちの１つを備え、前記複数の異なるタイプの分割多重化方式のうちの第２のタイプの分割多重化方式が、第２の送信ランクに関連し、およびＦＤＭ、ＣＤＭ、またはＴＤＭのうちの１つを備え、前記第１のタイプの分割多重化方式が、前記第２のタイプの分割多重化方式とは異なる、
前記第１のＤＭＲＳパターンに少なくとも部分的に基づいて前記第１のＴＴＩのリソースを使用して通信することと
を行うように実行可能な命令を備える、非一時的コンピュータ可読記録媒体。
【請求項２７】
前記第１のタイプの多重化方式は、前記送信ランクが前記第２の送信ランクであることに少なくとも部分的に基づいて、ＣＤＭになるように選択される、請求項１に記載の方法。
【発明の詳細な説明】
【技術分野】
【０００１】
相互参照
[0001]本特許出願は、各々が本出願の譲受人に譲渡された、２０１６年２月２日に出願された「ＤＭＲＳ  Ｂａｓｅｄ  ＤＬ  Ｆｏｒ  Ｌｏｗ  Ｌａｔｅｎｃｙ」と題する米国特許出願第１５／０１３，１５１号、および２０１５年３月１３日に出願された「ＤＭＲＳ  Ｂａｓｅｄ  ＤＬ  ｆｏｒ  ＵＬＬ」と題する米国仮特許出願第６２／１３３，１１２号の優先権を主張する。
【背景技術】
【０００２】
[0002]以下は、一般に、ワイヤレス通信に関し、より詳細には、低レイテンシ（ＬＬ）通信のための復調基準信号（ＤＭＲＳ）ベースのダウンリンク（ＤＬ）復調に関する。ワイヤレス通信システムは、音声、ビデオ、パケットデータ、メッセージング、およびブロードキャストなどの様々なタイプの通信コンテンツを提供するために広く展開されている。これらのシステムは、利用可能なシステムリソース（たとえば、時間、周波数、および電力）を共有することによって、複数のユーザとの通信をサポートすることが可能であり得る。そのような多元接続システムの例としては、符号分割多元接続（ＣＤＭＡ）システム、時分割多元接続（ＴＤＭＡ）システム、周波数分割多元接続（ＦＤＭＡ）システム、および直交周波数分割多元接続（ＯＦＤＭＡ）システム（たとえば、ロングタームエボリューション（ＬＴＥ（登録商標））システム）がある。ワイヤレス多元接続通信システムは、場合によってはユーザ機器（ＵＥ）として知られ得る、複数の通信デバイスのための通信を各々が同時にサポートする、いくつかの基地局を含み得る。
【０００３】
[0003]いくつかのワイヤレス通信システムでは、いくつかのＵＥは、低レイテンシ動作を使用して通信し得る。そのような通信は、セル固有基準（ＣＲＳ）信号を利用するＤＬ復調を含み得る。だが、低レイテンシ動作を含むいくつかのＵＥ動作は、他の復調方式を用いて（with）効率的または効果的に達成され得る。
【発明の概要】
【０００４】
[0004]低レイテンシ（ＬＬ）動作のためのＤＭＲＳベースのＤＬ復調のためのシステム、方法、および装置が説明される。ワイヤレス通信デバイスは、たとえば、異なる持続時間（durations）の送信時間間隔（ＴＴＩ）による（with）キャリア構成を識別し得る。たとえば、キャリアは、低レイテンシ動作をサポートするＴＴＩで構成され得る。デバイスは、低レイテンシＴＴＩのリソースに関する復調基準信号（ＤＭＲＳ）パターンを決定することができ、その第１のＤＭＲＳパターンは、別のより長い持続時間ＴＴＩのリソースに関するＤＭＲＳパターンに基づき得る。したがって、デバイスは、第１のＤＭＲＳパターンに基づいて低レイテンシＴＴＩのリソースを使用して通信し得る。たとえば、デバイスは、ＵＥであってよく、それは、第１のＤＭＲＳパターンを使用して低レイテンシデータチャネルのリソースを復調し得る。
【０００５】
[0005]ワイヤレス通信の方法が説明される。本方法は、第１のＴＴＩ持続時間を有する第１のＴＴＩと第１のＴＴＩ持続時間よりも多い（greater than）第２のＴＴＩ持続時間を有する第２のＴＴＩとで構成されたキャリア構成を識別することを含み得る。本方法はまた、第１のＴＴＩのリソースに関する第１のＤＭＲＳパターンを決定することと、ここで、第１のＤＭＲＳパターンが第２のＴＴＩのリソースに関する第２のＤＭＲＳパターンに少なくとも部分的に基づく、第１のＤＭＲＳパターンに少なくとも部分的に基づいて第１のＴＴＩのリソースを使用して通信することとを含み得る。
【０００６】
[0006]ワイヤレス通信のための装置が説明される。本装置は、第１のＴＴＩ持続時間を有する第１のＴＴＩと第１のＴＴＩ持続時間よりも多い第２のＴＴＩ持続時間を有する第２のＴＴＩとで構成されたキャリア構成を識別するための手段を含み得る。本装置はまた、第１のＴＴＩのリソースに関する第１のＤＭＲＳパターンを決定するための手段と、ここで、第１のＤＭＲＳパターンが第２のＴＴＩのリソースに関する第２のＤＭＲＳパターンに少なくとも部分的に基づく、第１のＤＭＲＳパターンに少なくとも部分的に基づいて第１のＴＴＩのリソースを使用して通信するための手段とを含み得る。
【０００７】
[0007]ワイヤレス通信のためのさらなる装置が説明される。本装置は、プロセッサと、プロセッサと電子通信しているメモリと、メモリに記憶された命令とを含み得、命令は、プロセッサによって実行されたとき、装置に、第１のＴＴＩ持続時間を有する第１のＴＴＩと第１のＴＴＩ持続時間よりも多い第２のＴＴＩ持続時間を有する第２のＴＴＩとで構成されたキャリア構成を識別させるように動作可能である。命令はまた、装置に、第１のＴＴＩのリソースに関する第１のＤＭＲＳパターンを決定することと、ここで、第１のＤＭＲＳパターンが第２のＴＴＩのリソースに関する第２のＤＭＲＳパターンに少なくとも部分的に基づく、第１のＤＭＲＳパターンに少なくとも部分的に基づいて第１のＴＴＩのリソースを使用して通信することとを行わせるように実行可能であり得る。
【０００８】
[0008]ワイヤレス通信のためのコードを記憶する非一時的コンピュータ可読媒体が説明される。コードは、第１のＴＴＩ持続時間を有する第１のＴＴＩと第１のＴＴＩ持続時間よりも多い第２のＴＴＩ持続時間を有する第２のＴＴＩとで構成されたキャリア構成を識別するように実行可能な命令を含み得る。命令はまた、第１のＴＴＩのリソースに関する第１のＤＭＲＳパターンを決定することと、ここにおいて、第１のＤＭＲＳパターンが第２のＴＴＩのリソースに関する第２のＤＭＲＳパターンに少なくとも部分的に基づく、第１のＤＭＲＳパターンに少なくとも部分的に基づいて第１のＴＴＩのリソースを使用して通信することとを行うように実行可能であり得る。
【０００９】
[0009]本明細書で説明される方法、装置、およびコンピュータ可読媒体のいくつかの例では、第１のＤＭＲＳパターンは、送信ランクに少なくとも部分的に基づくポート多重化（port multiplexing）で構成される。いくつかの例では、ポート多重化は直交カバーコード（ＯＣＣ）を備える。追加または代替として、第２のＴＴＩは、ロングタームエボリューション（ＬＴＥ）サブフレームであり得、第１のＴＴＩは、１つまたは複数のＬＴＥシンボル期間を含み得る。いくつかの例では、第１のＤＭＲＳパターンおよび第２のＤＭＲＳパターンは、符号分割多重（ＣＤＭ）もしくは周波数分割多重（ＦＤＭ）、または両方である。
【００１０】
[0010]本明細書で説明される方法、装置、およびコンピュータ可読媒体のいくつかの例は、第１のＤＭＲＳパターンを示すシグナリングを受信するための特徴、命令、または手段を含み、第１のＤＭＲＳパターンが決定論的パターン（deterministic pattern）を備える。いくつかの例では、第１のＤＭＲＳパターンを示すシグナリングは、ポート値、ＯＣＣ、もしくは低レイテンシデータチャネルおよび低レイテンシ制御チャネルの関係（relationship）、またはそれらの任意の組合せのうちの少なくとも１つを備える。
【００１１】
[0011]本明細書で説明される方法、装置、およびコンピュータ可読媒体のいくつかの例は、第２のＴＴＩの制御領域を識別するための特徴、命令、または手段を含み、第２のＴＴＩが第１のＴＴＩを備える。いくつかの例はまた、第２のＴＴＩの制御領域内の第１のＴＴＩ中に第１のＤＭＲＳパターンを使用する通信を控える（refraining from）ための特徴、命令、または手段を含む。
【００１２】
[0012]本明細書で説明される方法、装置、およびコンピュータ可読媒体のいくつかの例は、第２のＴＴＩ持続時間よりも少ない（less than）第３のＴＴＩ持続時間を有する第３のＴＴＩを識別し、セル固有基準信号（ＣＲＳ）パターンを決定し、ＣＲＳパターンに少なくとも部分的に基づいて第３のＴＴＩのリソースを使用して通信するための特徴、命令、または手段を含む。いくつかの例は、第１のＤＭＲＳパターンに少なくとも部分的に基づいて、第１のＴＴＩに関連する第１の低レイテンシ制御チャネル探索空間を監視し、ＣＲＳパターンに少なくとも部分的に基づいて、第３のＴＴＩに関連する第２の低レイテンシ制御チャネル探索空間を監視するための特徴、命令、または手段を含み得る。
【００１３】
[0013]本明細書で説明される方法、装置、およびコンピュータ可読媒体のいくつかの例は、第１のＴＴＩにおける制御チャネル探索空間を監視するための特徴、命令、または手段を含み、第１のＤＭＲＳパターンまたはＣＲＳパターンに少なくとも部分的に基づく監視すること。いくつかの例では、第１のＴＴＩは、同じプリコーディングを有するリソースブロックのバンドルを備える。
【００１４】
[0014]本明細書で説明される方法、装置、およびコンピュータ可読媒体のいくつかの例は、スクランブリング識別情報を含むシグナリングを受信するための特徴、命令、または手段を含み、通信することが、スクランブリング識別情報に少なくとも部分的に基づいて、第１のＤＭＲＳパターンのＤＭＲＳシンボルを第２のＤＭＲＳパターンのＤＭＲＳシンボルと区別することを備える。追加または代替として、いくつかの例は、第１のＤＭＲＳパターンに少なくとも部分的に基づいて少なくとも１つのポートを決定するための特徴、命令、または手段を含む。いくつかの例では、第１のＴＴＩのリソースを使用して通信することは、送信ランクに少なくとも部分的に基づく。いくつかの例はまた、第１のＤＭＲＳパターンに少なくとも部分的に基づいて第３のＴＴＩのリソースを使用して通信するための特徴、命令、または手段を含み得る。いくつかの例では、第３のＴＴＩは、第２のＴＴＩ持続時間を有し、他の例では、第３のＴＴＩは、第２のＴＴＩ持続時間よりも少ない第３のＴＴＩ持続時間を有する。
【図面の簡単な説明】
【００１５】
【図１】[0015]本開示の様々な態様による、ＤＭＲＳベースのＤＬ低レイテンシ動作をサポートするワイヤレス通信システムの例を示す図。
【図２】[0016]本開示の様々な態様による、ＤＭＲＳベースのＤＬ低レイテンシ動作をサポートするワイヤレス通信システムの例を示す図。
【図３】[0017]本開示の様々な態様による、ＤＭＲＳベースのＤＬ低レイテンシ動作をサポートするキャリア構成の例を示す図。
【図４】[0018]本開示の様々な態様による、ＤＭＲＳベースのＤＬ低レイテンシ動作をサポートするＤＭＲＳパターンの例を示す図。
【図５】本開示の様々な態様による、ＤＭＲＳベースのＤＬ低レイテンシ動作をサポートするＤＭＲＳパターンの例を示す図。
【図６】[0019]本開示の様々な態様による、ＤＭＲＳベースのＤＬ低レイテンシ動作をサポートするシステムにおけるプロセスフローの例を示す図。
【図７】[0020]本開示の様々な態様による、ＤＭＲＳベースのＤＬ低レイテンシ動作をサポートする１つまたは複数のワイヤレスデバイスのブロック図。
【図８】本開示の様々な態様による、ＤＭＲＳベースのＤＬ低レイテンシ動作をサポートする１つまたは複数のワイヤレスデバイスのブロック図。
【図９】本開示の様々な態様による、ＤＭＲＳベースのＤＬ低レイテンシ動作をサポートする１つまたは複数のワイヤレスデバイスのブロック図。
【図１０】[0021]本開示の様々な態様による、ＤＭＲＳベースのＤＬ低レイテンシ動作をサポートするＵＥを含む例示的なシステムを示す図。
【図１１】[0022]本開示の様々な態様による、ＤＭＲＳベースのＤＬ低レイテンシ動作をサポートする基地局を含む例示的なシステムを示す図。
【図１２】[0023]本開示の様々な態様による、ＤＭＲＳベースのＤＬ低レイテンシ動作のための１つまたは複数の方法を示す図。
【図１３】本開示の様々な態様による、ＤＭＲＳベースのＤＬ低レイテンシ動作のための１つまたは複数の方法を示す図。
【図１４】本開示の様々な態様による、ＤＭＲＳベースのＤＬ低レイテンシ動作のための１つまたは複数の方法を示す図。
【図１５】本開示の様々な態様による、ＤＭＲＳベースのＤＬ低レイテンシ動作のための１つまたは複数の方法を示す図。
【図１６】本開示の様々な態様による、ＤＭＲＳベースのＤＬ低レイテンシ動作のための１つまたは複数の方法を示す図。
【図１７】本開示の様々な態様による、ＤＭＲＳベースのＤＬ低レイテンシ動作のための１つまたは複数の方法を示す図。
【発明を実施するための形態】
【００１６】
[0024]ワイヤレス通信デバイスは、復調を容易にするためにＤＭＲＳベースのダウンリンク（ＤＬ）低レイテンシ動作を使用し得る。ＤＭＲＳベースのＤＬ復調は、たとえば、低レイテンシ動作を用いるいくつかのデバイスを有するシステムにおけるマルチユーザ多入力多出力（ＭＵ−ＭＩＭＯ）通信をサポートするのに有用であり得、低レイテンシ動作と非低レイテンシ動作の両方を用いるデバイスを有するシステムにおけるＭＵ−ＭＩＭＯ通信に有用であり得る。場合によっては、ＤＭＲＳベースのＤＬ低レイテンシ動作は、たとえば、ＣＲＳベースの復調よりも速い処理を容易にし得る。送信ランク依存型多重化を含む様々なタイプの多重化が、ＤＭＲＳベースのＤＬ低レイテンシ動作をサポートするために使用され得る。したがって、低レイテンシＤＭＲＳパターンのＤＭＲＳシンボルは、異なる時間および周波数リソースを占有することができ、低レイテンシＤＭＲＳパターンは、非低レイテンシＤＭＲＳパターンに基づき得る。これらのパターンは、いくつかの例では、基地局からＵＥに動的に示されることがあり、ＵＥは、同じシンボル期間中もしくは後続シンボル期間中または両方においてデータチャネルを復調するために低レイテンシＤＭＲＳパターンを利用し得る。ＤＭＲＳベースのＤＬ低レイテンシは、非直交動作もしくは物理リソースブロック（ＰＲＢ）バンドリング、または両方をサポートし得る。場合によっては、ＤＭＲＳベースのＤＬ低レイテンシ動作は、ＣＲＳベースの復調とともに用いられてよく、非低レイテンシ（たとえば、ＬＴＥ）ＴＴＩの制御領域は、低レイテンシＤＭＲＳシンボルを含み得る。本開示のこれらおよび他の態様は、ＤＭＲＳベースのＤＬ低レイテンシ動作に関係するシステム図、装置図、およびフローチャートによって示され、それらを参照しながら説明される。
【００１７】
[0025]図１は、本開示の様々な態様による、ＤＭＲＳベースのＤＬ低レイテンシ動作をサポートするワイヤレス通信システム１００の例を示す。ワイヤレス通信システム１００は、基地局１０５と、ＵＥ１１５と、コアネットワーク１３０とを含む。いくつかの例では、ワイヤレス通信システム１００は、ロングタームエボリューション（ＬＴＥ）／ＬＴＥアドバンスト（ＬＴＥ−Ａ）ネットワークであり得る。
【００１８】
[0026]基地局１０５は、１つまたは複数の基地局アンテナを介してＵＥ１１５とワイヤレスに通信することができる。基地局１０５の各々は、それぞれの地理的カバレージエリア１１０に通信カバレージを提供し得る。ワイヤレス通信システム１００に示されている通信リンク１２５は、ＵＥ１１５から基地局１０５へのアップリンク（ＵＬ）送信、または基地局１０５からＵＥ１１５へのダウンリンク（ＤＬ）送信を含み得る。場合によっては、ワイヤレス通信システム１００は、複数のセルまたはキャリア上での動作、すなわち、キャリアアグリゲーション（ＣＡ）またはマルチキャリア動作と呼ばれることがある機能をサポートし得る。キャリアは、コンポーネントキャリア（ＣＣ）、レイヤ、チャネルなどと呼ばれることもある。「キャリア」、「コンポーネントキャリア」、「セル」、および「チャネル」という用語は、本明細書では互換的に使用されることがある。したがって、ＵＥ１１５は、キャリアアグリゲーションのために、複数のダウンリンクＣＣと１つまたは複数のアップリンクＣＣとで構成され得る。キャリアアグリゲーションは、ＦＤＤコンポーネントキャリアとＴＤＤコンポーネントキャリアの両方とともに使用され得る。
【００１９】
[0027]基地局１０５は、バックホールリンク１３２（たとえば、Ｓ１など）を通じてコアネットワーク１３０とインターフェースし得る。基地局１０５はまた、バックホールリンク１３４（たとえば、Ｘ１など）を通じて直接または間接的に（たとえば、コアネットワーク１３０を通じて）互いと通信し得る。場合によっては、基地局１０５は、ＵＥ１１５との通信のための無線構成およびスケジューリングを実行し得るか、または基地局コントローラ（図示されず）の制御下で動作し得る。様々な例では、基地局１０５は、マクロセル、スモールセル、ホットスポットなどであり得る。基地局１０５は、いくつかの例ではｅノードＢ（ｅＮＢ）１０５と呼ばれることもある。基地局１０５は、低レイテンシ対応ＵＥ１１５とのいくつかの遅延不寛容通信（certain delay intolerant communications）の処理の高速化を容易にするために、ＤＭＲＳベースのＤＬ低レイテンシ動作をサポートすることができ、利用することができる。
【００２０】
[0028]ＵＥ１１５は、ワイヤレス通信システム１００全体にわたって分散されてよく、各ＵＥ１１５は、固定式または移動式であってよい。ＵＥ１１５はまた、移動局、加入者局、リモートユニット、ワイヤレスデバイス、アクセス端末、ハンドセット、ユーザエージェント、クライアントと呼ばれること、または何らかの他の適切な用語で呼ばれることもある。ＵＥ１１５は、様々な例では、セルラーフォン、ワイヤレスモデム、ハンドヘルドデバイス、パーソナルコンピュータ、タブレット、パーソナル電子デバイス、マシンタイプ通信（ＭＴＣ）デバイスなどであり得る。ＵＥ１１５は、基地局１０５と通信し得る。いくつかのＵＥ１１５は、低レイテンシ動作のために構成され得、したがって、ＤＭＲＳベースのＤＬ低レイテンシ動作をサポートし得る。そのようなＵＥ１１５は、低レイテンシまたは低レイテンシＵＥ１１５と呼ばれることがある。他のＵＥ１１５は、非低レイテンシＵＥ１１５と呼ばれることがあり、これらのデバイスがサポートする動作または通信は、非低レイテンシ通信、非低レイテンシ動作などと呼ばれることがある。本明細書で使用されるレガシーは、低レイテンシ動作をサポートしないワイヤレス通信規格に従った動作を指し得る。そのような非低レイテンシ規格の例としては、ＬＴＥリリース８およびＬＴＥリリース１０があり得る。
【００２１】
[0029]ＬＴＥシステムは、ＤＭＲＳベースＤＬ低レイテンシ動作をサポートするものを含め、ＤＬ上では直交周波数分割多元接続（ＯＦＤＭＡ）を利用し、ＵＬ上ではシングルキャリア周波数分割多元接続（ＳＣ−ＦＤＭＡ）を利用し得る。ＯＦＤＭＡおよびＳＣ−ＦＤＭＡは、システム帯域幅を、一般にトーンまたはビンとも呼ばれる複数（Ｋ）個の直交サブキャリアに区分する。各サブキャリアはデータで変調され得る。隣接するサブキャリア間の間隔は固定であり得、サブキャリアの総数（Ｋ）はシステム帯域幅に依存し得る。たとえば、Ｋは、１．４、３、５、１０、１５、または２０メガヘルツ（ＭＨｚ）の（ガードバンドをもつ）対応するシステム帯域幅に対して、１５キロヘルツ（ＫＨｚ）のサブキャリア間隔の場合、それぞれ、７２、１８０、３００、６００、９００、または１２００に等しくなり得る。システム帯域幅はまた、サブバンドに区分され得る。たとえば、サブバンドは１．０８ＭＨｚをカバーし得、１つ、２つ、４つ、８つまたは１６個のサブバンドがあり得る。
【００２２】
[0030]図１のワイヤレス通信システム１００を含む、様々な開示される例のうちのいくつかに適応し得る通信ネットワークは、階層化プロトコルスタックに従って動作するパケットベースネットワークであり得、ユーザプレーン中のデータはＩＰに基づき得る。無線リンク制御（ＲＬＣ）レイヤが、論理チャネルを介して通信するためにパケットセグメンテーションおよびリアセンブリを実行し得る。媒体アクセス制御（ＭＡＣ）レイヤが、優先度処理と、トランスポートチャネルへの論理チャネルの多重化とを実行し得る。ＭＡＣレイヤはまた、リンク効率を改善するためにＭＡＣレイヤにおいて再送信を行うためにハイブリッド自動再送要求（ＨＡＲＱ）を使用し得る。制御プレーンでは、無線リソース制御（ＲＲＣ）プロトコルレイヤは、ＵＥ１１５と基地局１０５との間のＲＲＣ接続の確立と構成と維持とを行い得る。場合によっては、低レイテンシＤＭＲＳパターンを含むＤＭＲＳパターンとキャリア構成とをＵＥ１１５にシグナリングするために、ＲＲＣシグナリングが利用され得る。ＲＲＣプロトコルレイヤはまた、ユーザプレーンデータのための無線ベアラのコアネットワーク１３０サポートに使用され得る。
【００２３】
[0031]データは、論理チャネルと、トランスポートチャネルと、物理レイヤチャネルとに分割され得る。チャネルはまた、制御チャネルとトラフィックチャネルとに分類され得る。ＤＬ物理チャネルは、たとえば、ブロードキャスト情報のための物理ブロードキャストチャネル（ＰＢＣＨ）と、制御フォーマット情報のための物理制御フォーマットインジケータチャネル（ＰＣＦＩＣＨ）と、制御およびスケジューリング情報のための物理ダウンリンク制御チャネル（ＰＤＣＣＨ）と、ＨＡＲＱステータスメッセージのための物理ＨＡＲＱインジケータチャネル（ＰＨＩＣＨ）と、ユーザデータのための物理ダウンリンク共有チャネル（ＰＤＳＣＨ）と、マルチキャストデータのための物理マルチキャストチャネル（ＰＭＣＨ）とを含み得る。ＵＬ物理チャネルは、アクセスメッセージのための物理ランダムアクセスチャネル（ＰＲＡＣＨ）と、制御データのための物理アップリンク制御チャネル（ＰＵＣＣＨ）と、ユーザデータのための物理アップリンク共有チャネル（ＰＵＳＣＨ）とを含み得る。場合によっては、低レイテンシ動作をサポートするために、追加の低レイテンシ物理チャネルが用いられ得る。これらは、ダウンリンクにおける低レイテンシＰＤＣＣＨ（ｕＰＤＣＣＨ）および低レイテンシＰＤＳＣＨ（ｕＰＤＳＣＨ）と、アップリンクにおける低レイテンシＰＵＣＣＨ（ｕＰＵＣＣＨ）および低レイテンシＰＵＳＣＨ（ｕＰＵＳＣＨ）とを含み得る。
【００２４】
[0032]ＰＤＣＣＨおよびｕＰＤＣＣＨは、制御チャネル要素（ＣＣＥ）中でダウンリンク制御情報（ＤＣＩ）を搬送することができ、ＣＣＥは、９つの論理的に隣接するリソース要素グループ（ＲＥＧ）からなることができ、ここで、各ＲＥＧが４つのリソース要素（ＲＥ）を含んでいる。ＤＣＩは、ＤＬスケジューリング割当て、ＵＬリソース許可、送信方式、ＵＬ電力制御、ＨＡＲＱ情報、変調およびコーディング方式（ＭＣＳ）、ならびに他の情報に関する情報を含む。ＤＣＩメッセージのサイズおよびフォーマットは、ＤＣＩによって搬送される情報のタイプおよび量に応じて異なり得る。たとえば、空間多重化がサポートされる場合、ＤＣＩメッセージのサイズは、連続周波数割振りと比較して大きい。同様に、多入力多出力（ＭＩＭＯ）を採用するシステム１００などのシステムの場合、ＤＣＩは、追加のシグナリング情報を含まなければならない。ＤＣＩサイズおよびフォーマットは、情報の量、ならびに帯域幅、アンテナポートの数、および利用される複信モードなどのファクタに依存し得る。
【００２５】
[0033]ワイヤレス通信システム１００におけるＵＥ１１５は、ＭＩＭＯ技法を使用して、複数の基地局１０５または基地局１０５の複数のアンテナと共同して（collaboratively）通信するように構成され得る。ＭＩＭＯ技法は、複数のデータストリームを送信するためにマルチパス環境を利用するために、基地局上の複数のアンテナまたはＵＥ上の複数のアンテナを使用する。ワイヤレス通信システム１００がＭＵ−ＭＩＭＯを採用する（employ）こともあり、これはたとえば、共通周波数帯域内で別個の信号を、複数の基地局１０５が送信すること、および複数のＵＥ１１５が受信することを可能にし得る。上述のように、これらのＭＵ−ＭＩＭＯ技法は、いくつかの低レイテンシＵＥ１１５との、もしくはいくつかの非低レイテンシＵＥ１１５との、または両方との通信を含むことができ、以下でより詳細に説明されるように、ＤＭＲＳベースＤＬ低レイテンシ動作は、そのようなトラフィックをサポートするのを助けることができる。
【００２６】
[0034]図２は、本開示の様々な態様による、ＤＭＲＳベースのＤＬ低レイテンシ動作のためのワイヤレス通信システム２００の例を示す。システム２００はシステム１００の態様を示し得る。たとえば、システム２００は、図１を参照しながら説明されたＵＥ１１５または基地局１０５の例であり得る、ＵＥ１１５−ａおよび１１５−ｂと、基地局１０５−ａとを含み得る。基地局１０５−ｂは、図１を参照しながら説明されたように、通信リンク２０５を介してＵＥ１１５−ｂと通信し、通信リンク２２５を介してＤＭＲＳベースのＤＬ低レイテンシ動作を使用してＵＥ１１５−ａと通信し得る。ＵＥ１１５−ａおよび１１５−ｂは、ＭＵ−ＭＩＭＯ動作を用いる（employ）ことができる。
【００２７】
[0035]基地局１０５−ａは、ＵＥ１１５−ａおよび１１５−ｂのチャネル推定およびコヒーレント復調を助けるために、ＤＬ送信においてＣＲＳなどの周期パイロットシンボルを挿入し得る。ＣＲＳは、５０４個の異なるセル識別情報のうちの１つを含み得る。ＣＲＳは、それらを雑音および干渉に対して耐性があるようにするために、４位相シフトキーイング（ＱＰＳＫ：quadrature phase shift keying）とブーストされた（たとえば、周囲のデータ要素よりも高い６ｄＢにおいて送信された）電力とを使用して変調され得る。ＣＲＳは、受信ＵＥ１１５のアンテナポートまたはレイヤの数（たとえば、最高４つ）に基づいて、各リソースブロック中の４〜１６個のリソース要素中に埋め込まれ得る。
【００２８】
[0036]基地局１０５−ｂのカバレージエリア１１０−ａ中のすべてのＵＥ１１５によって利用され得るＣＲＳに加えて、ＤＭＲＳは、特定のＵＥ１１５−ａまたは１１５−ｂを対象とし得、それらのＵＥ１１５に割り当てられたリソースブロック上で送信され得る。ＤＭＲＳは、たとえば、それらが送信される各リソースブロック中の６つのリソース要素上に信号を含み得る。異なるアンテナポートのためのＤＭＲＳは、それぞれ、同じ６つのリソース要素を利用することができ、（たとえば、異なるリソース要素中で１または−１の異なる組合せで各信号をマスキングする）異なる直交カバーコード（ＯＣＣ）を使用して区別され得る。いくつかの場合には、ＤＭＲＳの２つのセットが、隣接するリソース要素中で送信され得る。場合によっては、ＤＭＲＳは、あらかじめ定義された（predefined）パターンに従って送信され得る。すなわち、ＤＭＲＳは、サブフレーム２１０のいくつかのシンボル（たとえば、シンボル５および６）中に送られ得る。ＤＭＲＳベースのＤＬ低レイテンシ動作を容易にするために、低レイテンシＤＭＲＳパターンが、後述のように同じまたは同様のパターンに基づき得る。ＤＭＲＳは、ＵＥ固有基準信号またはＵＥ−ＲＳと呼ばれることもある。
【００２９】
[0037]チャネル状態情報基準信号（ＣＳＩ−ＲＳ）として知られる追加の基準信号も、チャネル状態情報（ＣＳＩ）を生成するのを助けるために含まれ得る。ＵＬ上で、ＵＥ１１５は、それぞれ、リンク適応および復調のための周期サウンディング基準信号（ＳＲＳ）とＵＬ  ＤＭＲＳの組合せを送信し得る。
【００３０】
[0038]物理リソースを編成するために、システム２００内でフレーム構造が使用され得る。フレームは、１０ｍｓ間隔であり得、それは、図３に示されるように１０個の等しいサイズのサブフレームにさらに分割され得る。各サブフレームは、２つの連続するタイムスロットを含み得る。各スロットは、６つまたは７つのＯＦＤＭＡシンボル期間を含み得る。リソース要素は、１つのシンボル期間と１つのサブキャリア（１５ｋＨｚ周波数範囲）とからなる。リソースブロックは、周波数領域中に１２個の連続サブキャリアを含んでおり、各ＯＦＤＭシンボル中のノーマルサイクリックプレフィックスについて、時間領域（１つのスロット）中に７つの連続ＯＦＤＭシンボル、または８４個のリソース要素を含んでいることがある。いくつかのリソース要素は、ＤＬ基準信号（ＤＬ−ＲＳ）を含み得る。ＤＬ−ＲＳは、上記のようにＣＲＳとＤＭＲＳとを含み得る。各リソース要素によって搬送されるビット数は、変調方式（各シンボル期間中に選択され得るシンボルの構成）に依存し得る。したがって、ＵＥが受信するリソースブロックが多いほど、また変調方式が高いほど、ＵＥのデータレートは高くなり得る。システム２００によって利用され得るフレーム、サブフレーム、およびシンボル構造のさらなる詳細は、図３〜図５によって示され、それらを参照しながら説明される。
【００３１】
[0039]場合によっては、ＬＴＥサブフレーム２１０は、送信時間間隔（ＴＴＩ）としても知られる、最小のスケジューリングユニットであり得る。他の場合には、ＴＴＩはサブフレームよりも短くてもよく、または（たとえば、短いＴＴＩバースト中で、もしくは短いＴＴＩを使用する選択されたコンポーネントキャリア中で）動的に選択されてもよい。システム２００は、低レイテンシおよび非低レイテンシＵＥ１１５と通信するために、様々な長さのＴＴＩを採用し得る。低レイテンシまたは低レイテンシ動作のために、短い持続時間を有するＴＴＩ（たとえば、短い持続時間ＴＴＩ２１５）が用いられ得る。場合によっては、より短い長さのＴＴＩを使用することは、オーバージエアレイテンシ（over-the-air latency）を低減し得る。たとえば、短い持続時間ＴＴＩ２１５（たとえば、ＬＴＥシンボル期間程度の（on the order of））は、非低レイテンシＴＴＩ（たとえば、ＬＴＥサブフレーム）と比較してＨＡＲＱレイテンシを低減するのを助けることができる。たとえば、システム２００は、より短い持続時間ＴＴＩを用いることによって、ＨＡＲＱレイテンシを４ｍｓから３００μｓに低減し得る。例として、ノーマルサイクリックプレフィックス（ＣＰ）動作の場合、ＨＡＲＱレイテンシは、シンボル期間程度のＴＴＩを使用することによって、１４分の１（a factor of 14）に低減され得る。一方、拡張ＣＰが使用される場合、ＨＡＲＱレイテンシは１２分の１に低減され得る。以下の図３〜図５で示されるように、システム２００は低レイテンシ動作にＬＴＥヌメロロジー（numerology）を利用し得るので、そのようなレイテンシ利得は、非低レイテンシ動作との互換性を維持しつつ実現され得る。たとえば、低レイテンシＴＴＩ継続時間は異なり得るが、トーン間隔（tone spacing）およびシンボル持続時間は同じであり得る。すなわち、低レイテンシＴＴＩ構成は、非低レイテンシＴＴＩ構成と同じトーン間隔（たとえば、１５ｋＨｚ）およびシンボル持続時間（たとえば、およそ７１μｓ）を使用し得る。
【００３２】
[0040]図３は、本開示の様々な態様による、ＤＭＲＳベースのＤＬ低レイテンシ動作をサポートするキャリア構成の例３００を示す。フレーム構成３００はフレーム３０５を含むことができ、それは、ダウンリンクまたはアップリンクのためにスケジュールされたいくつかの低レイテンシサブフレーム３１０を含み得る。低レイテンシサブフレーム３１０は、図２を参照しながら説明されたサブフレーム２１０の例であってよく、短い持続時間ＴＴＩを使用する低レイテンシ動作をサポートするように構成され得る。フレーム３０５は、ＦＤＤまたはＴＤＤシステムにおいて使用され得る。
【００３３】
[0041]フレーム３０５は、いくつかの低レイテンシダウンリンクサブフレーム３１５および低レイテンシアップリンクサブフレーム３２５を含み得る。場合によっては、フレーム３０５は、低レイテンシサブフレームと非低レイテンシサブフレームの両方を含み得る。低レイテンシダウンリンクサブフレーム３１５および低レイテンシアップリンクサブフレーム３２５の配分（distribution）は、あらかじめ定義されたアップリンク／ダウンリンクＴＤＤ構成に従って基地局１０５によって決定され得る。低レイテンシダウンリンクサブフレーム３１５と低レイテンシアップリンクサブフレーム３２５との間では、基地局はいかなる情報もスケジュールしないことがある。そのようなスケジューリングギャップは、ＵＥ１１５がダウンリンクセットアップからアップリンクセットアップに移行する（transition）ことを可能にし得る。したがって、フレーム３０５は、通信方向が（たとえば、ダウンリンクからアップリンクに）変化する機会（occasions）のガード期間として働く（act）特殊サブフレーム３２０を含み得る。
【００３４】
[0042]低レイテンシサブフレーム３１０は、より小さいセグメントに区分されてよく、たとえば、スロットなどのより大きいＴＴＩは、シンボルなどのより小さいＴＴＩを含み得る。より小さい、またはより短い持続時間ＴＴＩは、１つまたは複数のシンボル期間の持続時間を有し得る。たとえば、低レイテンシサブフレーム３１０は、いくつかの低レイテンシシンボル３３０を含み得る。低レイテンシシンボル３３０は、ダウンリンクデータ（たとえば、ダウンリンクシンボル）またはアップリンクデータ（たとえば、アップリンクシンボル）を伝達する（convey）ためにスケジュールされ得る。いくつかの低レイテンシ構成では、基地局１０５は、低レイテンシサブフレーム３１０と同じまたは異なる方向に従って、低レイテンシサブフレーム３１０の低レイテンシシンボル３３０をスケジュールし得る。ＨＡＲＱプロセスは、（たとえば、低レイテンシサブフレーム３１０内で）シンボルレベルにおいて実行され得る。
【００３５】
[0043]場合によっては、基地局１０５は、シンボルレベルにおいて通信方向変更の間のギャップをスケジュールし得る（たとえば、ギャップは低レイテンシサブフレーム３１０内にあり得る）。たとえば、基地局１０５は、ＵＥ１１５が構成を変更することを可能にし得るガード期間３４０−ａおよび３４０−ｂをスケジュールすることができる。
【００３６】
[0044]基地局１０５は、異なるＴＴＩ構成をサポートするために、またはＤＭＲＳベースのＤＬ低レイテンシ動作をサポートするために、制御シグナリングを使用し得る。たとえば、基地局１０５は、どの低レイテンシシンボル３３０がダウンリンク用であるかをＵＥ１１５にシグナリングすることができ、低レイテンシＤＭＲＳシンボルを同じまたは前のＴＴＩに含めることができる。非低レイテンシ動作を実現する（provide）ために、低レイテンシＤＭＲＳシンボルに関するパターン、たとえば、サブフレーム３１０のシンボル３３０内で使用される低レイテンシＤＭＲＳパターンが、同じサブフレーム３１０において使用される非低レイテンシＤＭＲＳパターンに基づき得る。
【００３７】
[0045]ＤＬ低レイテンシシンボル３３５は、多くの事例では低レイテンシＤＭＲＳを含み得るが、ｕＰＤＣＣＨまたはｕＰＤＳＣＨ復調のための低レイテンシＤＭＲＳの使用は、フレーム３０５またはサブフレーム３１０内で異なり（vary）得る。たとえば、低レイテンシＤＭＲＳは、フレーム３０５のいくつかのサブフレーム３１０またはサブフレーム３１０のセット（たとえば、グループ）に存在し得る。１つのサブフレーム３１０は、低レイテンシＤＭＲＳを含まないことがある（たとえば、ｕＰＤＣＣＨ  ＣＲＳベースの復調が使用され得る）一方、第２のサブフレームは、そのサブフレーム３１０内のＤＭＲＳベースのｕＰＤＳＣＨ変調のためのＤＭＲＳを含むことがある。いくつかの例では、ｕＰＤＳＣＨのための低レイテンシＤＭＲＳの存在は、リソースブロックまたはリソースブロックのサブセットの観点から定義され得る。たとえば、サブフレーム３１０の第１のリソースブロックは、ＤＭＲＳベースのｕＰＤＳＣＨを含まないことがある（たとえば、ＣＲＳベースのｕＰＤＣＣＨ復調が用いられ得る）一方、サブフレームの第２のリソースブロックは、ＤＭＲＳベースのｕＰＤＳＣＨ復調をサポートするためにＤＭＲＳを含み得る。そのような場合、低レイテンシＵＥ１１５は、低レイテンシＤＭＲＳに基づいて、シンボル期間における第１のｕＰＤＣＣＨ探索空間を監視し得る。低レイテンシＵＥ１１５はまた、同じシンボル期間に含まれるＣＲＳに基づいて第２のｕＰＤＣＣＨ探索空間を監視し得る。場合によっては、監視することは同時であり得る。追加または代替として、低レイテンシＵＥ１１５は、低レイテンシＤＭＲＳに基づいて、第１のシンボル期間における第１のｕＰＤＣＣＨ探索空間を監視することと、ＣＲＳに基づいて、第２のシンボル期間における第２のｕＰＤＣＣＨを監視することとを同時に行い得る。
【００３８】
[0046]いくつかの例では、１つのサブフレーム３１０またはＤＬ低レイテンシシンボル３３５期間において送信され、そのＴＴＩにおいてＤＬチャネルを復調するために使用されるＤＭＲＳは、後続のシンボル期間またはサブフレームにおいて復調のために使用され得る。たとえば、ＵＥ１１５の観点からすると、サブフレーム３１０における以前の割当てにおけるＤＭＲＳが、チャネル干渉推定などのために、完全にまたは部分的に、後続ＤＬ低レイテンシシンボル期間においてＤＬ復調に使用され得る。場合によっては、以前の割当ておよび現在の割当ては、異なるリソース割振りを有し得る。たとえば、サブフレームは１０個のＲＢの割当てを有することができる一方、シンボル期間は２５個のＲＢの割当てを有することができ、そのうちの１０個は、以前に割り当てられたサブフレーム送信と整合し得る。結果として、シンボル期間割当ての１０個のＲＢは、（たとえば、ＤＭＲＳ動作のために１０個のＲＢにおいて低レイテンシＤＭＲＳと非低レイテンシＤＭＲＳとを組み合わせることによって）向上したＤＭＲＳベースのＤＬ低レイテンシ動作を有し得る。代替的に、いくつかの例では、シンボル期間の１０個のＲＢは、低レイテンシＤＭＲＳを除外してよく、１０個のＲＢ割当てにおいて全面的に非低レイテンシＤＭＲＳが利用されてよい。
【００３９】
[0047]場合によっては、基地局１０５は、非直交ＭＵ−ＭＩＭＯ動作を容易にするために、様々なサブフレーム３１０またはＤＬ低レイテンシシンボル３３５における低レイテンシまたは非低レイテンシＤＬ送信とともにスクランブリングＩＤを動的に指示する（indicate）ことができる。これらのスクランブリングＩＤは、様々な制御およびデータチャネル送信に含まれ得る。そのような非直交多元接続技法は、たとえば、低レイテンシおよび非低レイテンシＵＥ１１５の間に非直交性を意図的に導入するために符号分割多重化（ＣＤＭ）技法を使用することができ、ＵＥ１１５の間の電力または経路損失の差を活用するために使用され得る。例として、ＰＤＳＣＨの場合、スクランブリングＩＤは０または１であり得、サブフレーム３１０でのＦＤＭ  ＰＤＣＣＨ領域であり得るＥＰＤＣＣＨは、２のスクランブリングＩＤを有することができ、ｕＰＤＳＣＨは、３または４のスクランブリングＩＤを有することができ、ｕＰＤＣＣＨは５のスクランブリングＩＤを有することができる。
【００４０】
[0048]追加または代替として、ｕＰＤＳＣＨのためのＰＲＢバンドリングが使用され得る。ＰＲＢバンドリングは、いくつかのＰＲＢが共通のプリコーディングを有する技法を含み得る。場合によっては、バンドリングサイズ（たとえば、共通のプリコーディングを有するＰＲＢの数）は、低レイテンシ通信および非低レイテンシ通信の場合に同じであり得る。他の場合、バンドリングは異なるサイズであり得る。たとえば、低レイテンシＰＤＳＣＨのためのＰＲＢバンドリングは５つのＲＢであり得、これは、非低レイテンシＰＤＳＣＨのためのＰＲＢバンドリングよりも大きい（たとえば、共通のプリコーディングを有するより多くのＰＲＢを有する）ことがある。
【００４１】
[0049]低レイテンシチャネルは、ランクにより（with）送信され得る。そのような事例では、ｕＰＤＳＣＨおよびｕＰＤＣＣＨによるＭＵ−ＭＩＭＯ通信は、ランクが同じであるシナリオよりもＵＥ１１５にとって難しいことがある。したがって、ＤＭＲＳベースのｕＰＤＣＣＨ復調は、たとえば、ランク１またはランク２動作に制限され得る。いくつかの例では、ｕＰＤＣＣＨ復調のための低レイテンシＤＭＲＳの存在は、あらかじめ定義されるか、または半静的に構成され得る。たとえば、低レイテンシＤＭＲＳの存在は、サブフレーム３１０の第１および第２のスロットのシンボル５／６に含まれるようにあらかじめ定義される（たとえば、決定論的パターンを有する）ことがある。代替的に、低レイテンシＤＭＲＳの存在は、非低レイテンシ制御チャネルによって動的に指示され得る。そのような指示は、グループ固有またはＵＥ固有であり得る。追加または代替として、低レイテンシポートへのＵＥ１１５のためのｕＰＤＣＣＨ復号候補のマッピングは、候補によって異なり得る。たとえば、第１の復号候補は低レイテンシアンテナポート０にマッピングされ得、第２の候補は低レイテンシアンテナポート２にマッピングされ得る。さらに、異なるＵＥは、ｕＰＤＣＣＨに関するＭＵ−ＭＩＭＯをサポートするために異なるマッピングを有し得る。
【００４２】
[0050]図４および図５は、本開示の様々な態様による、ＤＭＲＳベースのＤＬ低レイテンシ動作をサポートするＤＭＲＳパターン４００および５００の例を示す。サブフレーム４０２は、図３を参照しながら説明されたサブフレーム３１０の例であり得、図１および図２のシステム１００または２００において利用されるキャリアのＴＴＩを示し得る。サブフレーム４０２は、低レイテンシ動作をサポートし得るいくつかのシンボル期間（たとえば、１４個）を、各スロット中に７つ含み得る。サブフレーム４０２は、ＣＲＳシンボル４０５とＤＭＲＳシンボル４１０および４１５とを含み得る。サブフレーム４０２は、制御領域（たとえば、ＰＤＣＣＨ）４２０とデータ領域（たとえば、ＰＤＳＣＨ）４２２とを含み得る。図４の例において、ＤＭＲＳシンボル４１０および４１５は、各スロットのシンボル期間５および６において、データ領域４２２において送信され得る。ＤＭＲＳシンボル４１０は、たとえば、アンテナポート７および９の非低レイテンシＤＭＲＳであり得る一方、ＤＭＲＳシンボル４１５は、アンテナポート８および１０の非低レイテンシＤＭＲＳシンボル４１５であり得る。いくつかの例では、ＵＥは、制御領域４２０を識別することができ、制御領域４２０と整合する低レイテンシＴＴＩにおける通信を変更することができる。たとえば、ＵＥは、制御領域４２０中に発生する低レイテンシ通信に特定のＤＭＲＳパターンを使用して通信するのを控えることができる。
【００４３】
[0051]異なるアンテナポートのＤＭＲＳは、様々な方式、すなわち、時間単位（in time）符号分割多重化（ＣＤＭ）、周波数単位（in frequency）ＣＤＭ、または周波数分割多重化（ＦＤＭ）に従って多重化され得る。本明細書で使用される、時間単位ＣＤＭは、上記で説明されたＯＣＣを指し得る。たとえば、アンテナポートは、ＤＭＲＳを含む２つの隣接するシンボルにＯＣＣを利用する、時間単位ＣＤＭであり得る。
【００４４】
[0052]いくつかの多重化方式は、短いＴＴＩを特徴とするタイミング構成に、より適していることがある。場合によっては、多重化方式の適合性は、ランクに基づき得る。たとえば、ＦＤＭは、低減されたＤＭＲＳオーバーヘッドに起因するより低い送信ランク（たとえば、ランク１またはランク２）の場合に用いられ得る。一方、より高いランク（たとえば、ランク３以上）の場合には、時間単位ＣＤＭが有益であり得る。各多重化方式に関連するトレードオフがあり得る。たとえば、時間単位ＣＤＭは、効率性を高め得るが、いくつかの他の技法と比較してレイテンシを増大させ得る。したがって、ワイヤレスシステムは、ランク依存型ＤＭＲＳポート多重化を実装することができる、すなわち、システムは、関連する通信のランクに基づく多重化方式を用いることができる。
【００４５】
[0053]ランク１送信の場合、低レイテンシＤＭＲＳパターンは、非低レイテンシＤＭＲＳパターンに基づき得る。たとえば、図４の例では、低レイテンシＤＭＲＳパターン４２５は、アンテナポート７の非低レイテンシＤＭＲＳを模倣したパターンでの低レイテンシＤＭＲＳシンボル４１０を示す。同様に、詳細には示されていないが、低レイテンシＤＭＲＳパターンは、アンテナポート８の非低レイテンシＤＭＲＳを模倣し得る。これらの低レイテンシＤＭＲＳシンボルは、それぞれ、低レイテンシアンテナポート０および１のものであり得る。いくつかの例では、各低レイテンシＤＭＲＳシンボル、たとえば、低レイテンシＤＭＲＳパターン４２５の各ＤＭＲＳシンボルは、１のＵＥ固有マスキングを有し得る、すなわち、パターンの各低レイテンシＤＭＲＳシンボルは、１のＯＣＣを有する。同様に、低レイテンシアンテナポート１の各低レイテンシＤＭＲＳシンボルは、たとえば、−１によってマスキングされ得るサブフレーム４０２のシンボル期間６におけるそれらの低レイテンシＤＭＲＳシンボルを除いて、１によってマスキングされ得る。他のシンボル依存型変形形態も可能である。たとえば、シンボル期間２／４／６では、低レイテンシポート１の低レイテンシＤＭＲＳシンボルは、−１によってマスキングされ得、シンボル期間０／１／３／５では、１によってマスキングされ得る。代替的に、低レイテンシアンテナポート１の低レイテンシＤＭＲＳシンボルは、シンボル期間５において１、シンボル期間６において−１によってマスキングされ得、他のシンボル期間ではマスキングされないことがある。このＯＣＣまたはマスキングは、ＵＥ１１５によって、たとえば、隣接するＤＭＲＳシンボルの間の干渉を低減するために使用され得る。
【００４６】
[0054]同様のマスキングは、アンテナポート９および１０の非低レイテンシＤＭＲＳを模倣し得る低レイテンシアンテナポート２および３に用いられ得る。したがって、低レイテンシアンテナポート２は、すべてのシンボル期間において１によってマスキングされ得、低レイテンシアンテナポート３は、６を除く（but）あらゆるシンボル期間において１によってマスキングされ得、それは、たとえば、−１によってマスキングされ得る。
【００４７】
[0055]ランク２の場合、低レイテンシＤＭＲＳパターンは同様に、非低レイテンシＤＭＲＳパターンに基づき得る。たとえば、図４の例では、低レイテンシＤＭＲＳパターン４３０は、アンテナポート８および１０の非低レイテンシＤＭＲＳを模倣したパターンでの低レイテンシＤＭＲＳシンボル４１０および４１５を示す。同様に、詳細には示されていないが、低レイテンシＤＭＲＳパターンは、アンテナポート７および９の非低レイテンシＤＭＲＳを模倣し得る。この例でもシンボル依存型マスキングが適用されてよく、その結果、１のＯＣＣは、６以外のシンボル期間において送信されるすべての低レイテンシＤＭＲＳシンボルの場合に適用され得、シンボル期間６において送信されるそれらは、−１によってマスキングされ得る。アンテナポート７および９の非低レイテンシＤＭＲＳを模倣した低レイテンシＤＭＲＳパターンの場合、各低レイテンシＤＭＲＳシンボルは、１によってマスキングされ得る。
【００４８】
[0056]場合によっては、直交性を維持するために、また時間単位ＣＤＭ多重化を使用する低レイテンシおよび非低レイテンシＭＵ−ＭＩＭＯの効率的多重化を促進するために、直接隣接する（「連続する（back-to-back）」）シンボル期間において低レイテンシデータのために低レイテンシＵＥ１１５がスケジュールされ得る。だが、場合によっては、そのような連続（back-to-back）低レイテンシスケジューリングは、たとえば、低レイテンシおよび非低レイテンシＵＥ１１５のためのスケジューリングがＦＤＭである場合には、回避され得る。
【００４９】
[0057]ランク３以上（or higher）の送信の場合、低レイテンシＤＭＲＳパターンは同様に、低レイテンシＤＭＲＳパターン４４０に示されているように、シンボルのペアでの非低レイテンシＤＭＲＳパターンに基づき得る。そのような場合、低レイテンシＤＭＲＳは少なくとも２つのシンボルに及び得る。いくつかの例では、低レイテンシアンテナポートが非低レイテンシポート（たとえば、非低レイテンシアンテナポート７〜１４）にマッピングされ得る。マッピングは、低レイテンシアンテナポートｋが非低レイテンシポートｋ＋７にマッピングされる（たとえば、低レイテンシポート０が非低レイテンシポート７にマッピングされ得る）ようなものであり得る。
【００５０】
[0058]場合によっては、ＣＤＭを使用して多重化されるＤＭＲＳ信号は、開始シンボルおよびランクに基づくＯＣＣを含み得る。たとえば、各ポートは２つのシンボルセットに関連付けられてよく、その各々は、開始シンボルに基づく異なるＯＣＣを与える。ランク３および４の場合、これは表１に示されており、ここで、シンボルセット１は、たとえば、サブフレーム４０２の開始シンボル期間１／３／５を指し得、シンボルセット２は、たとえば、サブフレーム４０２の開始シンボル期間２／４／６を指し得る。
【００５１】
【表１】
0006599474.tif 000002
【００５２】
他の開始シンボル依存型変形形態も考えられる。代替的に、開始シンボルは、奇数のシンボル期間インデックスに限定され得る。そのような場合、シンボル依存型マスキングがなくて（たとえば、シンボルセット２がなくて）よい。
【００５３】
[0059]ランク５以上の場合、表２は、開始シンボル固有マスキングの例を示しており、ここでは、シンボルセット１は、たとえば、サブフレーム４０２の第１のスロットの開始シンボル期間１／３／５を指し得、シンボルセット２は、たとえば、サブフレーム４０２の第１のスロットの開始シンボル期間２／４／６を指し得、シンボルセット３は、たとえば、サブフレーム４０２の第２のスロットの開始シンボル期間１／３／５を指し得、シンボルセット４は、たとえば、サブフレーム４０２の第２のスロットの開始シンボル期間２／４／６を指し得る。
【００５４】
【表２】
0006599474.tif 000003
【００５５】
より低いランクの場合と同様に、ランク５の送信の場合に他の開始シンボル依存型変形形態も考えられる。
【００５６】
[0060]いくつかの例では、低レイテンシＵＥ１１５は、シンボルに低レイテンシＤＭＲＳが存在するかどうかを動的に示され得る。これは、低レイテンシまたは非低レイテンシ制御シグナリングを介したものであり得る。たとえば、ランク１送信の場合に、低レイテンシＤＭＲＳが存在する場合、さらなる指示またはシグナリングは、ポート（たとえば、ポート０またはポート１）、ＯＣＣタイプ、（たとえば、非低レイテンシポート７、ポート８、ポート９、ポート１０などに基づく）、ｕＰＤＳＣＨレートマッチングが、リソースブロック（ＲＢ）に存在するＤＭＲＳリソース要素（ＲＥ）の数に基づくべきかどうかなどを識別し得る。たとえば、制御信号は、ｕＰＤＳＣＨレートマッチングがＲＢ当たり３つのＤＭＲＳ  ＲＥに基づくべきか、ＲＢ当たり６つのＤＭＲＳ  ＲＥに基づくべきかを示し得る。ランク２以上の場合、低レイテンシポートは、いくつかの例では固定されてよいが、制御シグナリングは、ＯＣＣ動作を示し得る。場合によっては、ＤＭＲＳの存在（たとえば、ＤＭＲＳがＲＢごとに存在する、１つおきのＲＢに存在する、またはまったく存在しない場合）を示すために、より細かい粒度（granularity）が使用され得る。場合によっては、上記のように現在のｕＰＤＳＣＨ／ｕＰＤＣＣＨ復調に以前の低レイテンシＤＭＲＳシンボルが使用され得るかどうかを決定するために、あらかじめ定義された時間経過（time-lapse）または構成可能な時間経過が使用され得る。そのような事例では、同じ時間経過でのＤＭＲＳの場合に、同じプリコーディングが仮定され得る。例として、同じサブフレームの任意のＤＭＲＳが復調に使用され得るように、最後の１４個のシンボルのＤＭＲＳが使用され得る。
【００５７】
[0061]いくつかの事例では、低レイテンシＤＭＲＳシンボル４１０または４１５とＣＲＳシンボル４０５との間に衝突があり得る。したがって、低レイテンシＤＭＲＳパターンは、ＣＲＳシンボル４０５を有するシンボル期間にＤＭＲＳシンボル４１０および４１５を配置するのを回避するように構成され得る。したがって、ＣＲＳシンボル期間中の低レイテンシ動作の場合、ＵＥ１１５は、ＤＬ低レイテンシ復調のためにＣＲＳに依拠し得る。だが、いくつかの例では、ＣＲＳシンボル期間におけるＣＲＳの周波数シフトを実施することによって、衝突が回避され得る。別の例では、ＵＥ１１５は、同じシンボル期間中に受信される低レイテンシＤＭＲＳシンボル４１０または４１５よりも高い優先度をＣＲＳシンボル４０５に与えることができる。他の例では、異なる低レイテンシＤＭＲＳパターン４３５がＣＲＳシンボル期間において用いられ得る。追加または代替として、異なる低レイテンシアンテナポートは、異なる周波数シフトを有し得る。
【００５８】
[0062]いくつかの例では、低レイテンシＤＭＲＳシンボルは、サブフレーム４０２の制御領域４２０においてサポートされ得る。そのような場合、ＤＭＲＳベースのｕＰＤＳＣＨ復調もしくはＤＭＲＳベースのｕＰＤＣＣＨ復調のいずれか、または両方がサポートされ得る。たとえば、ｕＰＤＣＣＨ復調はＣＲＳに基づき得る一方、ｕＰＤＳＣＨ復調は低レイテンシＤＭＲＳに基づき得る。代替的に、ＤＭＲＳベースの復調が制御領域４２０においてサポートされないことがある。場合によっては、ｕＰＤＣＣＨおよびｕＰＤＳＣＨ復調のための基準信号タイプ（たとえば、ＤＭＲＳまたはＣＲＳ）は、たとえば、サブフレーム４０２の制御領域４２０からデータ領域４２２へ、異なるシンボルで切り替えることができる。
【００５９】
[0063]さらに、上記で説明された技法は、ダウンリンクサブフレームまたは特殊サブフレーム、たとえば、図３を参照しながら説明されたサブフレーム３２０に使用され得る。図５は、特殊サブフレーム３２０の例であり得る、特殊サブフレーム５０２内のＤＭＲＳパターン５００を示している。ＤＭＲＳパターン５００は、ＤＭＲＳシンボル５１０および５１５を含むことができ、図４を参照しながら上記で説明された非低レイテンシＤＭＲＳパターンに基づくか、または非低レイテンシＤＭＲＳパターンを模倣し得る低レイテンシＤＭＲＳパターン５２５、５３０および５４０を利用することができる。
【００６０】
[0064]図６は、本開示の様々な態様による、ＤＭＲＳベースのＤＬ低レイテンシ動作をサポートするシステムにおけるプロセスフローの例を示す。プロセスフロー６００は、図１および図２を参照しながら本明細書で説明されたＵＥ１１５と基地局１０５との例であり得るＵＥ１１５−ｃおよび１１５−ｄと基地局１０５−ｂとを含み得る。
【００６１】
[0065]６０５において、基地局１０５−ｂは、ＵＥ１１５−ｃを識別することができ、第１のＴＴＩ持続時間を有する第１のＴＴＩと第１のＴＴＩ持続時間よりも多い第２のＴＴＩ持続時間を有する第２のＴＴＩとによるキャリア６１０で構成することができる。この構成はＲＲＣシグナリングを介したものであり得る。したがって、ＵＥ１１５−ｃは、ＲＲＣシグナリングを受信することによってキャリア構成を識別することができる。キャリア６１０は、低レイテンシ動作と非低レイテンシ動作の両方をサポートすることができ、ＵＥ１１５−ｃとＵＥ１１５−ｄの両方をサポートするＭＵ−ＭＩＭＯ動作に使用され得る。
【００６２】
[0066]６１５において、低レイテンシチャネルを含み得るＤＬ送信を、基地局１０５−ｂは送信することができ、ＵＥ１１５−ｃは受信することができる。基地局１０５−ｂは、第２のＴＴＩのリソースに関する第２のＤＭＲＳパターンに基づき得る第１のＴＴＩのリソースに関する第１のＤＭＲＳパターンを決定することができ、それに応じてＤＬ送信を構成することができる。
【００６３】
[0067]６２０において、ＵＥ１１５−ｃは、第１のＴＴＩのリソースに関する第１のＤＭＲＳパターンを決定することができ、第１のＤＭＲＳパターンは、第２のＴＴＩのリソースに関する第２のＤＭＲＳパターンに基づくことができ、第１のＤＭＲＳパターンと第２のＤＭＲＳパターンとは異なり得る。場合によっては、決定は、受信されたシグナリングに基づく。たとえば、ＵＥ１１５−ｃは、第１のＤＭＲＳパターンを示すシグナリングを受信することができ、第１のＤＭＲＳパターンが決定論的パターンである。いくつかの例では、第１のＤＭＲＳパターンを示すシグナリングは、ポート値、ＯＣＣ、または低レイテンシデータチャネルおよび低レイテンシ制御チャネルの関係を含む。シグナリングは、たとえば、ＲＲＣシグナリングまたは制御チャネル信号であり得る。いくつかの例では、シグナリングは、６１５においてＤＬ送信の第２のＴＴＩの制御領域において受信される。
【００６４】
[0068]基地局１０５−ｂおよびＵＥ１１５−ｃは、第１のＤＭＲＳパターンに基づいて第１のＴＴＩのリソースを使用して通信することができる。すなわち、基地局１０５−ｂは、第１のＤＭＲＳパターンを有するＤＭＲＳベースのＤＬ低レイテンシ動作を使用して、低レイテンシ制御またはデータチャネルを変調し、ＵＥ１１５−ｃによる復調を容易にすることができる。いくつかの例では、第１のＤＭＲＳパターンは、送信ランクに基づくポート多重化で構成される。いくつかの例では、ポート多重化はＯＣＣを含む。場合によっては、第２のＴＴＩは第１のＴＴＩを含み、ポートごとのＯＣＣは、時間領域における第１のＴＴＩのロケーションに基づき得る。第２のＴＴＩは、たとえば、ＬＴＥサブフレームであり得、第１のＴＴＩは、ＬＴＥシンボル期間であり得る。いくつかの例では、ポートごとのＯＣＣは、第１のＴＴＩのシンボル数（symbol number）に基づき得る。したがって、第１のＤＭＲＳパターンに関するＯＣＣは、第２のＤＭＲＳパターンのＯＣＣとは異なり得る。いくつかの例では、第１のＤＭＲＳパターンは、第１の持続時間の２つのＴＴＩに及ぶ。いくつかの例では、第１のＤＭＲＳパターンおよび第２のＤＭＲＳパターンは、ＣＤＭもしくはＦＤＭ、または両方である。
【００６５】
[0069]様々な復調方式を容易にするために、ＵＥ１１５−ｃは、第２のＴＴＩの制御領域を識別し得る。いくつかの例では、第２のＴＴＩは、第１のＴＴＩを含み、制御領域は、第１のＤＭＲＳパターンのＤＭＲＳシンボルを除外する。代替的に、制御領域は、第１のＤＭＲＳパターンの１つまたは複数のＤＭＲＳシンボルを含み得る。いくつかの例では、低レイテンシ制御チャネルもしくは低レイテンシデータチャネル、または両方は、第１のＤＭＲＳパターンに少なくとも部分的に基づいて復調される。
【００６６】
[0070]いくつかの例では、基地局１０５−ｂおよびＵＥ１１５−ｃは、第１のＴＴＩ持続時間を有する第３のＴＴＩを識別し得る。第３のＴＴＩはＣＲＳを含むことができ、それはＣＲＳパターンを有し得る。いくつかの例では、第３のＴＴＩは、第１のＤＭＲＳパターンのＤＭＲＳシンボルを除外する。いくつかの例では、第３のＴＴＩは、第１および第２のＤＭＲＳパターンとは異なる第３のＤＭＲＳパターンのＤＭＲＳシンボルを含む。追加または代替として、第３のＴＴＩは、第１のＤＭＲＳパターンのＤＭＲＳシンボルを含み得る。本明細書で説明されるように、第３のＴＴＩは、他の持続時間を有することができ、たとえば、第３のＴＴＩは、第２のＴＴＩ持続時間よりも少ない第３の持続時間を有することができ、または場合によっては第２のＴＴＩ持続時間を有することができる。
【００６７】
[0071]ＣＲＳを基地局１０５−ｂは送信することができ、ＵＥ１１５−ｃは受信することができる。したがって、ＵＥ１１５−ｃは、第１のＤＭＲＳパターンのＤＭＲＳシンボルもしくは受信されたＣＲＳ、または両方に基づいて信号を復調し得る。いくつかの例では、第２のＴＴＩは第１および第３のＴＴＩを含む（たとえば、第２のＴＴＩはサブフレームであり得、第１および第３のＴＴＩはそれぞれシンボル期間であり得る）。したがって、６２５において、ＵＥ１１５−ｃは、第１のＤＭＲＳパターンに基づいて、第１のＴＴＩにおける第１の低レイテンシ制御チャネル探索空間を監視し、受信されたＣＲＳに基づいて、第１のＴＴＩにおける第２の低レイテンシ制御チャネル探索空間を監視することができる。いくつかの例では、ＵＥ１１５−ｃは、第１のＤＭＲＳパターンに基づいて、第１のＴＴＩにおける第１の低レイテンシ制御チャネル探索空間を監視し、受信されたＣＲＳに基づいて、第３のＴＴＩにおける第２の低レイテンシ制御チャネル探索空間を監視することができる。
【００６８】
[0072]いくつかの例では、ＵＥ１１５−ｃは、第２のＴＴＩ持続時間よりも少ない持続時間を有し、ＣＲＳを含む第３のＴＴＩを識別し得る。ＵＥ１１５−ｃは、ＣＲＳに基づいて第３のＴＴＩのリソースを使用して通信し得る。場合によっては、ＵＥ１１５−ｃは、第１のＤＭＲＳパターンに基づいて、第１のＴＴＩに関連する第１の低レイテンシ制御チャネル探索空間を監視することができ、ＵＥ１１５−ｃは、ＣＲＳ（またはＣＲＳパターン）に基づいて、第３のＴＴＩに関連する第２の低レイテンシ制御チャネル探索空間を監視することができる。
【００６９】
[0073]第１のＴＴＩのリソースは、同じプリコーディングを有するリソースブロックのバンドルを含み得る。いくつかの例では、バンドルにおけるリソースブロックの数は、第１のＴＴＩが第１のＤＭＲＳパターンのＤＭＲＳシンボルを含むかどうかに基づき得る。
【００７０】
[0074]追加または代替として、スクランブリングＩＤを含むシグナリングを基地局１０５−ｂは送信することができ、ＵＥ１１５−ｃは受信することができる。したがって、いくつかの例では、ＵＥ１１５−ｃは、スクランブリングＩＤを利用して第１のＤＭＲＳパターンのＤＭＲＳを第２のＤＭＲＳパターンのＤＭＲＳと区別することができる。
【００７１】
[0075]ＵＥ１１５−ｃは、第１のＤＭＲＳパターンに基づいてアンテナポートを決定し得る。いくつかの例では、ＵＥ１１５−ｃは、アンテナポートに基づいて制御チャネル復号候補を復号し得る。したがって、６３０において、ＵＥ１１５−ｃは、第１のＤＭＲＳパターンを使用してｕＰＤＳＣＨを復調し得る。ＵＥ１１５−ｃはまた、第１のＤＭＲＳパターンに基づいて、第１のＴＴＩ持続時間を有する第３のＴＴＩのリソースを使用して通信し得る。いくつかの例では、第１のＴＴＩまたは第３のＴＴＩのリソースを使用して通信することは、送信ランクに基づく。
【００７２】
[0076]ＵＥ１１５は、第１のＤＭＲＳパターンに基づいて第３のＴＴＩのリソースを使用して通信し得る。いくつかの例では、第３のＴＴＩは第２のＴＴＩ持続時間を有する。場合によっては、第１のＴＴＩのリソースは、第１の数のリソースブロックを含み、第３のＴＴＩのリソースは、第２の数のリソースブロックを含み、第１の数のリソースブロックと第２の数のリソースブロックとは異なる。
【００７３】
[0077]図７は、本開示の様々な態様による、ＤＭＲＳベースのＤＬ低レイテンシ動作のために構成されたワイヤレスデバイス７００のブロック図を示す。ワイヤレスデバイス７００は、図１〜図６を参照しながら説明されたＵＥ１１５または基地局１０５の態様の例であり得る。ワイヤレスデバイス７００は、受信機７０５、ＬＬ  ＤＭＲＳモジュール７１０、または送信機７１５を含み得る。ワイヤレスデバイス７００はまた、プロセッサを含み得る。これらの構成要素の各々は互いと通信していることがある。
【００７４】
[0078]受信機７０５は、パケット、ユーザデータ、または様々な情報チャネルに関連する制御情報（たとえば、制御チャネル、データチャネル、およびＤＭＲＳベースのＤＬ低レイテンシ動作に関係する情報など）などの情報を受信し得る。情報は、ＬＬ  ＤＭＲＳモジュール７１０に、およびワイヤレスデバイス７００の他の構成要素に渡され得る。
【００７５】
[0079]ＬＬ  ＤＭＲＳモジュール７１０は、第１のＴＴＩ持続時間を有する第１のＴＴＩと第１のＴＴＩ持続時間よりも多い第２のＴＴＩ持続時間を有する第２のＴＴＩとを含むキャリア構成を識別し、第１のＴＴＩのリソースに関する第１のＤＭＲＳパターンを決定することができ、第１のＤＭＲＳパターンが、第２のＴＴＩのリソースに関する第２のＤＭＲＳパターンに基づく。そして、ＬＬ  ＤＭＲＳモジュール７１０は、受信機７０５または送信機７１５と組み合わせて、たとえば、第１のＤＭＲＳパターンに少なくとも部分的に基づいて第１のＴＴＩのリソースを使用して通信することができる。
【００７６】
[0080]送信機７１５は、ワイヤレスデバイス７００の他の構成要素から受信された信号を送信し得る。いくつかの例では、送信機７１５は、トランシーバモジュールにおいて受信機７０５とコロケートされ得る。送信機７１５は単一のアンテナを含み得るか、または送信機７１５は複数のアンテナを含み得る。
【００７７】
[0081]図８は、本開示の様々な態様による、ＤＭＲＳベースのＤＬ低レイテンシ動作のためのワイヤレスデバイス８００のブロック図を示す。ワイヤレスデバイス８００は、図１〜図７を参照しながら説明されたワイヤレスデバイス７００またはＵＥ１１５または基地局１０５の態様の例であり得る。ワイヤレスデバイス８００は、受信機７０５−ａ、ＬＬ  ＤＭＲＳモジュール７１０−ａ、または送信機７１５−ａを含み得る。ワイヤレスデバイス８００はまた、プロセッサを含み得る。これらの構成要素の各々は互いと通信していることがある。ＬＬ  ＤＭＲＳモジュール７１０−ａはまた、ＴＴＩ識別モジュール８０５と、ＤＭＲＳパターン決定モジュール８１０と、ＤＭＲＳベースの復調モジュール８１５とを含み得る。
【００７８】
[0082]受信機７０５−ａは、ＬＬ  ＤＭＲＳモジュール７１０−ａに、およびデバイス８００の他の構成要素に渡され得る情報を受信し得る。ＬＬ  ＤＭＲＳモジュール７１０−ａは、図７を参照しながら本明細書で説明された動作を実行し得る。送信機７１５−ａは、ワイヤレスデバイス８００の他の構成要素から受信された信号を送信し得る。
【００７９】
[0083]ＴＴＩ識別モジュール８０５は、図２〜図６を参照しながら本明細書で説明されたように、第１のＴＴＩ持続時間を有する第１のＴＴＩと第１のＴＴＩ持続時間よりも多い第２のＴＴＩ持続時間を有する第２のＴＴＩとを含むキャリア構成を識別し得る。いくつかの例では、第２のＴＴＩは第１のＴＴＩを含み得る。たとえば、第２のＴＴＩはＬＴＥサブフレームであり得、第１のＴＴＩはＬＴＥシンボル期間であり得る。ＴＴＩ識別モジュール８０５はまた、第１のＴＴＩ持続時間を有する第３のＴＴＩを識別し得る。いくつかの例では、第２のＴＴＩは第１および第３のＴＴＩを含む。代替的に、第３のＴＴＩは第２のＴＴＩ持続時間を有し得る。いくつかの例では、第１のＴＴＩのリソースは、第１の数のリソースブロックを含み、第３のＴＴＩのリソースは、第２の数のリソースブロックを含み、第１の数のリソースブロックと第２の数のリソースブロックとが異なる。
【００８０】
[0084]図２〜図６を参照しながら本明細書で説明されたように、ＤＭＲＳパターン決定モジュール８１０は、第１のＴＴＩのリソースに関する第１のＤＭＲＳパターンを決定することができ、第１のＤＭＲＳパターンは、第２のＴＴＩのリソースに関する第２の異なるＤＭＲＳパターンに基づき得る。いくつかの例では、第１のＤＭＲＳパターンは、第１の持続時間の２つのＴＴＩに及ぶ。追加または代替として、第１のＤＭＲＳパターンは、第２のＤＭＲＳパターンでのＦＤＭであり得る。いくつかの例では、第３のＴＴＩは、第１のＤＭＲＳパターンのＤＭＲＳシンボルを除外する。いくつかの例では、第３のＴＴＩは、第１および第２のＤＭＲＳパターンとは異なり得る第３のＤＭＲＳパターンのＤＭＲＳシンボルを含む。場合によっては、第３のＴＴＩは、第１のＤＭＲＳパターンのＤＭＲＳシンボルを含み得る。デバイス８００は、場合によっては、スクランブリングＩＤを利用して第１のＤＭＲＳパターンのＤＭＲＳを第２のＤＭＲＳパターンのＤＭＲＳと区別することによって通信することができる。
【００８１】
[0085]ＤＭＲＳベースの復調モジュール８１５は、図２〜図６を参照しながら本明細書で説明されたように、第１のＤＭＲＳパターンに基づいて第１のＴＴＩのリソースを使用して通信することができる。ＤＭＲＳベースの復調モジュール８１５はまた、第１のＤＭＲＳパターンに少なくとも部分的に基づいて第３のＴＴＩのリソースを使用して通信し得る。
【００８２】
[0086]図９は、図７および図８のワイヤレスデバイス７００またはワイヤレスデバイス８００の構成要素であり得るＬＬ  ＤＭＲＳモジュール７１０−ｂのブロック図９００を示し、ＬＬ  ＤＭＲＳモジュール７１０−ｂは、図７〜図８を参照しながら説明されたＬＬ  ＤＭＲＳモジュール７１０の態様の例であり得る。ＬＬ  ＤＭＲＳモジュール７１０−ｂは、ＴＴＩ識別モジュール８０５−ａと、ＤＭＲＳパターン決定モジュール８１０−ａと、ＤＭＲＳベースの復調モジュール８１５−ａとを含み得る。これらのモジュールの各々は、図８を参照しながら本明細書で説明された機能を実行し得る。ＬＬ  ＤＭＲＳモジュール７１０−ｂはまた、ポート多重化モジュール９０５と、ＤＭＲＳパターン構成モジュール９１０と、制御領域識別モジュール９１５と、低レイテンシチャネルモジュール９２０と、ＣＲＳ識別モジュール９２５と、ブラインド復号モジュール９３０と、リソースブロックバンドリングモジュール９３５と、スクランブリングＩＤ識別モジュール９４０とを含み得る。
【００８３】
[0087]ポート多重化モジュール９０５は、第１のＤＭＲＳパターンのポート多重化（たとえば、マスキング）を識別するように構成され得、それは、図２〜図６を参照しながら本明細書で説明されたように、送信ランクに基づくポート多重化で構成され得る。いくつかの例では、ポート多重化はＯＣＣを含む。ポートごとのＯＣＣは、時間領域における第１のＴＴＩのロケーションに基づき得る。いくつかの例では、ポートごとのＯＣＣは、第１のＴＴＩのシンボル数に基づき得る。第１のＤＭＲＳパターンに関するＯＣＣは、第２のＤＭＲＳパターンのＯＣＣとは異なり得る。
【００８４】
[0088]図２〜図６を参照しながら本明細書で説明されたように、ＤＭＲＳパターン構成モジュール９１０は、第１のＤＭＲＳパターンを示すシグナリングを受信することができ、第１のＤＭＲＳパターンは、決定論的パターンであり得る。いくつかの例では、第１のＤＭＲＳパターンを示すシグナリングは、ポート値、ＯＣＣ、または低レイテンシデータチャネルおよび低レイテンシ制御チャネルの関係のうちの少なくとも１つを含む。いくつかの例では、シグナリングは、第２のＴＴＩの制御領域において受信され得る。
【００８５】
[0089]制御領域識別モジュール９１５は、図２〜図６を参照しながら本明細書で説明されたように、第２のＴＴＩの制御領域を識別し得る。いくつかの例では、制御領域は、第１のＤＭＲＳパターンのＤＭＲＳシンボルを除外する。代替的に、制御領域は、第１のＤＭＲＳパターンのＤＭＲＳシンボルを含み得る。
【００８６】
[0090]低レイテンシチャネルモジュール９２０は、図２〜図６を参照しながら本明細書で説明されたように、第１のＤＭＲＳパターンに基づいて、低レイテンシ制御チャネルもしくは低レイテンシデータチャネル、または両方を変調または復調するように構成され得る。
【００８７】
[0091]ＣＲＳ識別モジュール９２５は、図２〜図６を参照しながら本明細書で説明されたように、ＣＲＳを含み得る第３のＴＴＩを識別するように構成され得る。ＣＲＳ識別モジュール９２５は、ＬＬ  ＤＭＲＳモジュール９００の他のモジュールと組み合わせて、第３のＴＴＩに関するＣＲＳパターを決定し、ＣＲＳを受信することができる。したがって、デバイスは、ＣＲＳパターンに基づいて第３のＴＴＩのリソースを使用して通信し得る。いくつかの例では、これは、第１のＤＭＲＳパターンのＤＭＲＳシンボルもしくは受信されたＣＲＳ、または両方に基づいて信号を復調することを容易にし得る。
【００８８】
[0092]ブラインド復号モジュール９３０は、図２〜図６を参照しながら本明細書で説明されたように、第１のＤＭＲＳパターンに基づいて、第１のＴＴＩにおける第１の低レイテンシ制御チャネル探索空間を監視し、受信されたＣＲＳに基づいて、第１のＴＴＩにおける第２の低レイテンシ制御チャネル探索空間を監視するように構成され得る。追加または代替として、ブラインド復号モジュール９３０は、図２〜図６を参照しながら本明細書で説明されたように、第１のＤＭＲＳパターン上において基づいて、第１のＴＴＩにおける第１の低レイテンシ制御チャネル探索空間を監視し、受信されたＣＲＳに少なくとも部分的に基づいて、第３のＴＴＩにおける第２の低レイテンシ制御チャネル探索空間を監視するように構成され得る。
【００８９】
[0093]リソースブロックバンドリングモジュール９３５は、図２〜図６を参照しながら本明細書で説明されたように、同じプリコーディングを有するリソースブロックのバンドルを含む第１のＴＴＩのリソースを識別または利用するように構成され得る。いくつかの例では、バンドルにおけるリソースブロックの数は、第１のＴＴＩが第１のＤＭＲＳパターンのＤＭＲＳシンボルを含むかどうかに基づき得る。
【００９０】
[0094]スクランブリングＩＤ識別モジュール９４０は、図２〜図６を参照しながら本明細書で説明されたように、スクランブリングＩＤを示すシグナリングを受信または識別し得る。
【００９１】
[0095]ワイヤレスデバイス７００および８００、ならびにＬＬ  ＤＭＲＳモジュール７１０−ｂの構成要素は、それぞれ、適用可能な機能の一部または全部をハードウェアで実行するように適応された少なくとも１つの特定用途向け集積回路（ＡＳＩＣ）を用いて、個々にまたはまとめて実装され得る。代替的に、それらの機能は、少なくとも１つのＩＣ上で、１つまたは複数の他の処理ユニット（またはコア）によって実行され得る。他の例では、当技術分野で知られている任意の様式でプログラムされ得る、他のタイプの集積回路（たとえば、ストラクチャード／プラットフォームＡＳＩＣ、フィールドプログラマブルゲートアレイ（ＦＰＧＡ）、または別のセミカスタムＩＣ）が使用され得る。各ユニットの機能はまた、全体的または部分的に、１つまたは複数の汎用または特定用途向けプロセッサによって実行されるようにフォーマットされた、メモリ中に組み込まれた命令を用いて実装され得る。
【００９２】
[0096]図１０は、本開示の様々な態様による、ＤＭＲＳベースのＤＬ低レイテンシ動作のために構成されたシステム１０００の図を示す。システム１０００は、図１、図２、図７、および図８を参照しながら本明細書で説明されたワイヤレスデバイス７００、ワイヤレスデバイス８００、またはＵＥ１１５の例であり得る、ＵＥ１１５−ｅを含み得る。ＵＥ１１５−ｅは、図７〜図９を参照しながら説明されたＬＬ  ＤＭＲＳモジュール７１０の例であり得る、ＬＬ  ＤＭＲＳモジュール１０１０を含み得る。いくつかの例では、ＵＥ１１５−ｅはアンテナポート決定モジュール１０２５を含み得る。ＵＥ１１５−ｅは、通信を送信するための構成要素と通信を受信するための構成要素とを含む、双方向音声およびデータ通信のための構成要素をも含み得る。たとえば、ＵＥ１１５−ｅは、基地局１０５−ｃまたはＵＥ１１５−ｆと双方向に通信し得る。
【００９３】
[0097]アンテナポート決定モジュール１０２５は、図２〜図６を参照しながら本明細書で説明されたように、第１のＤＭＲＳパターンに基づいてアンテナポートを決定することができる。いくつかの例では、これは、ＵＥの１１５−ｅがアンテナポートに基づいて制御チャネル復号候補を識別するのを容易にし得る。
【００９４】
[0098]ＵＥ１１５−ｅはまた、プロセッサ１００５と、（ソフトウェア（ＳＷ）１０２０を含む）メモリ１０１５と、トランシーバ１０３５と、１つまたは複数のアンテナ１０４０とを含み得、それらの各々は、（たとえば、バス１０４５を介して）互いと直接または間接的に通信し得る。トランシーバ１０３５は、上記で説明されたように、アンテナ１０４０またはワイヤードリンクもしくはワイヤレスリンクを介して、１つまたは複数のネットワークと双方向に通信し得る。たとえば、トランシーバ１０３５は、基地局１０５または別のＵＥ１１５と双方向に通信し得る。トランシーバ１０３５は、パケットを変調し、変調されたパケットを送信のためにアンテナ１０４０に与え、アンテナ１０４０から受信されたパケットを復調するためのモデムを含み得る。ＵＥ１１５−ｅは単一のアンテナ１０４０を含み得るが、ＵＥ１１５−ｅはまた、複数のワイヤレス送信を同時に送信または受信することが可能な複数のアンテナ１０４０を有し得る。
【００９５】
[0099]メモリ１０１５は、ランダムアクセスメモリ（ＲＡＭ）と、読取り専用メモリ（ＲＯＭ）とを含み得る。メモリ１０１５は、実行されたとき、プロセッサ１００５に本明細書で説明される様々な機能（たとえば、ＤＭＲＳベースのＤＬ低レイテンシ動作など）を実行させる命令を含むコンピュータ可読、コンピュータ実行可能ソフトウェア／ファームウェアコード１０２０を記憶し得る。代替的に、ソフトウェア／ファームウェアコード１０２０は、プロセッサ１００５によって直接的に実行可能でないことがあるが、（たとえば、コンパイルされ実行されたとき）コンピュータに本明細書で説明される機能を実行させ得る。プロセッサ１００５は、インテリジェントハードウェアデバイス（たとえば、中央処理ユニット（ＣＰＵ）、マイクロコントローラ、ＡＳＩＣなど）を含み得る。
【００９６】
[0100]図１１は、本開示の様々な態様による、ＤＭＲＳベースのＤＬ低レイテンシ動作のために構成された基地局１０５を含むシステム１１００の図を示す。システム１１００は、図１、図２および図８〜図１０を参照しながら本明細書で説明されたワイヤレスデバイス７００もしくはワイヤレスデバイス８００、または基地局１０５の例であり得る基地局１０５−ｄを含み得る。基地局１０５−ｄは、図７〜図９を参照しながら説明されたＬＬ  ＤＭＲＳモジュール７１０の例であり得る、基地局ＬＬ  ＤＭＲＳモジュール１１１０を含み得る。基地局１０５−ｄは、通信を送信するための構成要素と通信を受信するための構成要素とを含む、双方向音声およびデータ通信のための構成要素をも含み得る。たとえば、基地局１０５−ｄは、ＵＥ１１５−ｇおよび１１５−ｈと双方向に通信し得る。
【００９７】
[0101]場合によっては、基地局１０５−ｄは１つまたは複数のワイヤードバックホールリンクを有し得る。基地局１０５−ｄは、コアネットワーク１３０へのワイヤードバックホールリンク（たとえば、Ｓ１インターフェースなど）を有し得る。基地局１０５−ｄはまた、基地局間バックホールリンク（たとえば、Ｘ２インターフェース）を介して、基地局１０５−ｅおよび基地局１０５−ｆなどの他の基地局１０５と通信し得る。基地局１０５の各々は、同じまたは異なるワイヤレス通信技術を使用してＵＥ１１５と通信し得る。場合によっては、基地局１０５−ｄは、基地局通信モジュール１１２５を利用して１０５−ｅまたは１０５−ｆなどの他の基地局と通信し得る。いくつかの例では、基地局通信モジュール１１２５は、基地局１０５のうちのいくつかの間の通信を行うために、ＬＴＥ／ＬＴＥ−Ａワイヤレス通信ネットワーク技術内のＸ２インターフェースを与え得る。いくつかの例では、基地局１０５−ｄは、コアネットワーク１３０を通じて他の基地局と通信し得る。場合によっては、基地局１０５−ｄは、ネットワーク通信モジュール１１３０を通じてコアネットワーク１３０−ａと通信し得る。
【００９８】
[0102]基地局１０５−ｄは、プロセッサ１１０５と、（ソフトウェア（ＳＷ）１１２０を含む）メモリ１１１５と、トランシーバ１１３５と、アンテナ１１４０とを含み得、それらの各々は、（たとえば、バスシステム１１４５を介して）互いと直接または間接的に通信していることがある。トランシーバ１１３５は、アンテナ１１４０を介して、マルチモードデバイスであり得るＵＥ１１５と双方向に通信するように構成され得る。トランシーバ１１３５（または基地局１０５−ｄの他の構成要素）はまた、アンテナ１１４０を介して、１つまたは複数の他の基地局（図示されず）と双方向に通信するように構成され得る。トランシーバ１１３５は、パケットを変調し、変調されたパケットを送信のためにアンテナ１１４０に与え、アンテナ１１４０から受信されたパケットを復調するように構成されたモデムを含み得る。基地局１０５−ｄは、各々が１つまたは複数の関連するアンテナ１１４０をもつ、複数のトランシーバ１１３５を含み得る。トランシーバは、図７の組み合わせられた受信機７０５および送信機７１５の例であり得る。
【００９９】
[0103]メモリ１１１５はＲＡＭとＲＯＭとを含み得る。メモリ１１１５はまた、実行されたとき、プロセッサ１１０５に本明細書で説明される様々な機能（たとえば、ＤＭ−ＲＳベースのＤＬ低レイテンシ、カバレージ拡張技法を選択すること、呼処理、データベース管理、メッセージルーティングなど）を実行させるように構成された命令を含んでいるコンピュータ可読、コンピュータ実行可能ソフトウェアコード１１２０を記憶し得る。代替的に、ソフトウェア１１２０は、プロセッサ１１０５によって直接的に実行可能でないことがあるが、たとえば、コンパイルされ実行されたとき、コンピュータに本明細書で説明される機能を実行させるように構成され得る。プロセッサ１１０５は、インテリジェントハードウェアデバイス、たとえば、ＣＰＵ、マイクロコントローラ、ＡＳＩＣなどを含み得る。プロセッサ１１０５は、エンコーダ、キュー処理モジュール、ベースバンドプロセッサ、無線ヘッドコントローラ、デジタル信号プロセッサ（ＤＳＰ）など、様々な専用プロセッサを含み得る。
【０１００】
[0104]基地局通信モジュール１１２５は他の基地局１０５との通信を管理し得る。通信管理モジュールは、他の基地局１０５と協働してＵＥ１１５との通信を制御するためのコントローラまたはスケジューラを含み得る。たとえば、基地局通信モジュール１１２５は、ビームフォーミングまたはジョイント送信などの様々な干渉緩和技法のためのＵＥ１１５への送信のためのスケジューリングを協調させ得る。
【０１０１】
[0105]図１２は、本開示の様々な態様による、ＤＭＲＳベースのＤＬ低レイテンシ動作のための方法１２００を示すフローチャートを示す。方法１２００の動作は、図１〜図１１を参照しながら説明されたように、ＵＥ１１５もしくは基地局１０５、またはそれらのそれぞれの構成要素によって実施され得る。たとえば、方法１２００の動作は、図７〜図１１を参照しながら説明されたように、ＬＬ  ＤＭＲＳモジュール７１０によって実行され得る。いくつかの例では、ＵＥ１１５または基地局１０５は、以下で説明される機能を実行するようにＵＥ１１５または基地局１０５の機能要素を制御するためのコードのセットを実行し得る。追加または代替として、ＵＥ１１５または基地局１０５は、専用ハードウェアを使用して、以下で説明される機能態様を実行し得る。
【０１０２】
[0106]ブロック１２０５において、ＵＥ１１５または基地局１０５は、図２〜図６を参照しながら本明細書で説明されたように、第１のＴＴＩ持続時間を有する第１のＴＴＩと第１のＴＴＩ持続時間よりも多い第２のＴＴＩ持続時間を有する第２のＴＴＩとを含むキャリア構成を識別し得る。いくつかの例では、ブロック１２０５の動作は、図８を参照しながら本明細書で説明されたように、ＴＴＩ識別モジュール８０５によって実行され得る。
【０１０３】
[0107]ブロック１２１０において、図２〜図６を参照しながら本明細書で説明されたように、ＵＥ１１５または基地局１０５は、第１のＴＴＩのリソースに関する第１のＤＭＲＳパターンを決定することができ、第１のＤＭＲＳパターンが、第２のＴＴＩのリソースに関する第２のＤＭＲＳパターンに基づき得る。いくつかの例では、第１のＤＭＲＳパターンと第２のＤＭＲＳパターンとは異なり得る。いくつかの例では、ブロック１２１０の動作は、図８を参照しながら本明細書で説明されたように、ＤＭＲＳパターン決定モジュール８１０によって実行され得る。
【０１０４】
[0108]ブロック１２１５において、ＵＥ１１５または基地局１０５は、図２〜図６を参照しながら本明細書で説明されたように、第１のＤＭＲＳパターンに基づいて第１のＴＴＩのリソースを使用して通信することができる。いくつかの例では、ブロック１２１５の動作は、図８を参照しながら本明細書で説明されたように、ＤＭＲＳベースの復調モジュール８１５によって実行され得る。
【０１０５】
[0109]図１３は、本開示の様々な態様による、ＤＭＲＳベースのＤＬ低レイテンシ動作のための方法１３００を示すフローチャートを示す。方法１３００の動作は、図１〜図１１を参照しながら説明されたように、ＵＥ１１５もしくは基地局１０５、またはそれらのそれぞれの構成要素によって実施され得る。たとえば、方法１３００の動作は、図７〜図１１を参照しながら説明されたように、ＬＬ  ＤＭＲＳモジュール７１０によって実行され得る。いくつかの例では、ＵＥ１１５または基地局１０５は、以下で説明される機能を実行するようにＵＥ１１５または基地局１０５の機能要素を制御するためのコードのセットを実行し得る。追加または代替として、ＵＥ１１５または基地局１０５は、専用ハードウェアを使用して、以下で説明される機能態様を実行し得る。方法１３００はまた、図１２の方法１２００の態様を組み込み得る。
【０１０６】
[0110]ブロック１３０５において、図２〜図６を参照しながら本明細書で説明されたように、ＵＥ１１５または基地局１０５は、第１のＤＭＲＳパターンを示すシグナリングを受信することができ、第１のＤＭＲＳパターンが決定論的パターンであり得る。いくつかの例では、ブロック１３２０の動作は、図９を参照しながら本明細書で説明されたように、ＤＭＲＳパターン構成モジュール９１０によって実行され得る。
【０１０７】
[0111]ブロック１３１０において、ＵＥ１１５または基地局１０５は、図２〜図６を参照しながら本明細書で説明されたように、第１のＴＴＩ持続時間を有する第１のＴＴＩと第１のＴＴＩ持続時間よりも多い第２のＴＴＩ持続時間を有する第２のＴＴＩとを含むキャリア構成を識別し得る。いくつかの例では、ブロック１３０５の動作は、図８を参照しながら本明細書で説明されたように、ＴＴＩ識別モジュール８０５によって実行され得る。
【０１０８】
[0112]ブロック１３１５において、図２〜図６を参照しながら本明細書で説明されたように、ＵＥ１１５または基地局１０５は、第１のＴＴＩのリソースに関する第１のＤＭＲＳパターンを決定することができ、第１のＤＭＲＳパターンが、第２のＴＴＩのリソースに関する第２のＤＭＲＳパターンに基づく。いくつかの例では、ブロック１３１０の動作は、図８を参照しながら本明細書で説明されたように、ＤＭＲＳパターン決定モジュール８１０によって実行され得る。
【０１０９】
[0113]ブロック１３２０において、ＵＥ１１５または基地局１０５は、図２〜図６を参照しながら本明細書で説明されたように、第１のＤＭＲＳパターンに基づいて第１のＴＴＩのリソースを使用して通信することができる。いくつかの例では、ブロック１３１５の動作は、図８を参照しながら本明細書で説明されたように、ＤＭＲＳベースの復調モジュール８１５によって実行され得る。
【０１１０】
[0114]図１４は、本開示の様々な態様による、ＤＭＲＳベースのＤＬ低レイテンシ動作のための方法１４００を示すフローチャートを示す。方法１４００の動作は、図１〜図１１を参照しながら説明されたように、ＵＥ１１５もしくは基地局１０５、またはそれらのそれぞれの構成要素によって実施され得る。たとえば、方法１４００の動作は、図７〜図１０を参照しながら説明されたように、ＬＬ  ＤＭＲＳモジュール７１０によって実行され得る。いくつかの例では、ＵＥ１１５または基地局１０５  １１５は、以下で説明される機能を実行するようにＵＥ１１５または基地局１０５の機能要素を制御するためのコードのセットを実行し得る。追加または代替として、ＵＥ１１５または基地局１０５は、専用ハードウェアを使用して、以下で説明される機能態様を実行し得る。方法１４００はまた、図１２〜図１３の方法１２００、および１３００の態様を組み込み得る。
【０１１１】
[0115]ブロック１４０５において、ＵＥ１１５または基地局１０５は、図２〜図６を参照しながら本明細書で説明されたように、第１のＴＴＩ持続時間を有する第１のＴＴＩと第１のＴＴＩ持続時間よりも多い第２のＴＴＩ持続時間を有する第２のＴＴＩとを含むキャリア構成を識別し得る。いくつかの例では、ブロック１４０５の動作は、図８を参照しながら本明細書で説明されたように、ＴＴＩ識別モジュール８０５によって実行され得る。
【０１１２】
[0116]ブロック１４１０において、ＵＥ１１５または基地局１０５は、図２〜図６を参照しながら本明細書で説明されたように、第２のＴＴＩの制御領域を識別し得る。いくつかの例では、ブロック１４２０の動作は、図９を参照しながら本明細書で説明されたように、制御領域識別モジュール９１５によって実行され得る。
【０１１３】
[0117]ブロック１４１５において、図２〜図６を参照しながら本明細書で説明されたように、ＵＥ１１５または基地局１０５は、第１のＴＴＩのリソースに関する第１のＤＭＲＳパターンを決定することができ、第１のＤＭＲＳパターンが、第２のＴＴＩのリソースに関する第２のＤＭＲＳパターンに少なくとも部分的に基づく。いくつかの例では、ブロック１４１０の動作は、図８を参照しながら本明細書で説明されたように、ＤＭＲＳパターン決定モジュール８１０によって実行され得る。
【０１１４】
[0118]ブロック１４２０において、ＵＥ１１５または基地局１０５は、図２〜図６を参照しながら本明細書で説明されたように、第１のＤＭＲＳパターンに少なくとも部分的に基づいて第１のＴＴＩのリソースを使用して通信することができる。いくつかの例では、ブロック１４１５の動作は、図８を参照しながら本明細書で説明されたように、ＤＭＲＳベースの復調モジュール８１５によって実行され得る。
【０１１５】
[0119]図１５は、本開示の様々な態様による、ＤＭＲＳベースのＤＬ低レイテンシ動作のための方法１５００を示すフローチャートを示す。方法１５００の動作は、図１〜図１１を参照しながら説明されたように、ＵＥ１１５もしくは基地局１０５、またはそれらのそれぞれの構成要素によって実施され得る。たとえば、方法１５００の動作は、図７〜図１０を参照しながら説明されたように、ＬＬ  ＤＭＲＳモジュール７１０によって実行され得る。いくつかの例では、ＵＥ１１５または基地局１０５は、以下で説明される機能を実行するようにＵＥ１１５または基地局１０５の機能要素を制御するためのコードのセットを実行し得る。追加または代替として、ＵＥ１１５または基地局１０５は、専用ハードウェアを使用して、以下で説明される機能態様を実行し得る。方法１５００はまた、図１２〜図１４の方法１２００、１３００、および１４００の態様を組み込み得る。
【０１１６】
[0120]ブロック１５０５において、ＵＥ１１５または基地局１０５は、図２〜図６を参照しながら本明細書で説明されたように、第１のＴＴＩ持続時間を有する第１のＴＴＩと第１のＴＴＩ持続時間よりも多い第２のＴＴＩ持続時間を有する第２のＴＴＩとを含むキャリア構成を識別し得る。いくつかの例では、ブロック１５０５の動作は、図８を参照しながら本明細書で説明されたように、ＴＴＩ識別モジュール８０５によって実行され得る。
【０１１７】
[0121]ブロック１５１０において、ＵＥ１１５または基地局１０５は、図２〜図６を参照しながら本明細書で説明されたように、第２のＴＴＩ持続時間よりも少ない持続時間を有する第３のＴＴＩを識別し得る。場合によっては、第３のＴＴＩはＣＲＳを含む。いくつかの例では、ブロック１５１０の動作は、図８を参照しながら本明細書で説明されたように、ＴＴＩ識別モジュール８０５によって実行され得る。
【０１１８】
[0122]ブロック１５１５において、ＵＥ１１５または基地局１０５は、図２〜図６を参照しながら本明細書で説明されたように、ＣＲＳを受信し得る。いくつかの例では、ブロック１５１５の動作は、図９を参照しながら本明細書で説明されたように、ＣＲＳ識別モジュール９２５によって実行され得る。
【０１１９】
[0123]ブロック１５２０において、図２〜図６を参照しながら本明細書で説明されたように、ＵＥ１１５または基地局１０５は、第１のＴＴＩのリソースに関する第１のＤＭＲＳパターンを決定することができ、第１のＤＭＲＳパターンが、第２のＴＴＩのリソースに関する第２のＤＭＲＳパターンに少なくとも部分的に基づき、第１のＤＭＲＳパターンと第２のＤＭＲＳパターンとが異なり得る。いくつかの例では、ブロック１５２０の動作は、図８を参照しながら本明細書で説明されたように、ＤＭＲＳパターン決定モジュール８１０によって実行され得る。
【０１２０】
[0124]ブロック１５２５において、ＵＥ１１５または基地局１０５は、図２〜図６を参照しながら本明細書で説明されたように、第１のＤＭＲＳパターンに少なくとも部分的に基づいて第１のＴＴＩのリソースを使用して通信することができる。場合によっては、通信することは、第１のＤＭＲＳパターンのＤＭＲＳシンボルもしくは受信されたＣＲＳ、または両方のうちの１つに少なくとも部分的に基づいて信号を復調することを含む。いくつかの例では、ブロック１５２５の動作は、図８を参照しながら本明細書で説明されたように、ＤＭＲＳベースの復調モジュール８１５によって、および／または図１０を参照しながら説明されたように、トランシーバ１０３５によって実行され得る。
【０１２１】
[0125]いくつかの例では、ＵＥ１１５は、ＣＲＳパターンに基づいて第３のＴＴＩのリソースを使用して通信し得る。追加または代替として、ＵＥ１１５は、第１のＤＭＲＳパターンに基づいて、第１のＴＴＩに関連する第１の低レイテンシ制御チャネル探索空間を監視することができ、それは、ＣＲＳパターンに基づいて、第３のＴＴＩに関連する第２の低レイテンシ制御チャネル探索空間を監視することができる。そのような動作は、図１０を参照しながら説明されたように、プロセッサ１００５およびトランシーバ１０３５によって実行され得る。
【０１２２】
[0126]図１６は、本開示の様々な態様による、ＤＭＲＳベースのＤＬ低レイテンシ動作のための方法１６００を示すフローチャートを示す。方法１６００の動作は、図１〜図１１を参照しながら説明されたように、ＵＥ１１５もしくは基地局１０５、またはそれらのそれぞれの構成要素によって実施され得る。たとえば、方法１６００の動作は、図７〜図１０を参照しながら説明されたように、ＬＬ  ＤＭＲＳモジュール７１０によって実行され得る。いくつかの例では、ＵＥ１１５または基地局１０５は、以下で説明される機能を実行するようにＵＥ１１５または基地局１０５の機能要素を制御するためのコードのセットを実行し得る。追加または代替として、ＵＥ１１５または基地局１０５は、専用ハードウェアを使用して、以下で説明される機能態様を実行し得る。方法１６００はまた、図１２〜図１５の方法１２００、１３００、１４００、および１５００の態様を組み込み得る。
【０１２３】
[0127]ブロック１６０５において、ＵＥ１１５または基地局１０５は、図２〜図６を参照しながら本明細書で説明されたように、第１のＴＴＩ持続時間を有する第１のＴＴＩと第１のＴＴＩ持続時間よりも多い第２のＴＴＩ持続時間を有する第２のＴＴＩとを含むキャリア構成を識別し得る。いくつかの例では、ブロック１６０５の動作は、図８を参照しながら本明細書で説明されたように、ＴＴＩ識別モジュール８０５によって実行され得る。
【０１２４】
[0128]ブロック１６１０において、ＵＥ１１５または基地局１０５は、図２〜図６を参照しながら本明細書で説明されたように、スクランブリングＩＤを含むシグナリングを受信し得る。いくつかの例では、ブロック１６２０の動作は、図９を参照しながら本明細書で説明されたように、スクランブリングＩＤ識別モジュール９４０によって実行され得る。
【０１２５】
[0129]ブロック１６１５において、図２〜図６を参照しながら本明細書で説明されたように、ＵＥ１１５または基地局１０５は、第１のＴＴＩのリソースに関する第１のＤＭＲＳパターンを決定することができ、第１のＤＭＲＳパターンが、第２のＴＴＩのリソースに関する第２のＤＭＲＳパターンに少なくとも部分的に基づき、第１のＤＭＲＳパターンと第２のＤＭＲＳパターンとが異なり得る。いくつかの例では、ブロック１６１０の動作は、図８を参照しながら本明細書で説明されたように、ＤＭＲＳパターン決定モジュール８１０によって実行され得る。
【０１２６】
[0130]ブロック１６２０において、ＵＥ１１５または基地局１０５は、図２〜図６を参照しながら本明細書で説明されたように、第１のＤＭＲＳパターンに少なくとも部分的に基づいて第１のＴＴＩのリソースを使用して通信することができる。いくつかの例では、通信することは、スクランブリングＩＤを利用して第１のＤＭＲＳパターンのＤＭＲＳを第２のＤＭＲＳパターンのＤＭＲＳと区別することを含み得る。いくつかの例では、ブロック１６１５の動作は、図８を参照しながら本明細書で説明されたように、ＤＭＲＳベースの復調モジュール８１５によって実行され得る。
【０１２７】
[0131]図１７は、本開示の様々な態様による、ＤＭＲＳベースのＤＬ低レイテンシ動作のための方法１７００を示すフローチャートを示す。方法１６００の動作は、図１〜図１１を参照しながら説明されたように、ＵＥ１１５もしくは基地局１０５、またはそれらのそれぞれの構成要素によって実施され得る。たとえば、方法１７００の動作は、図７〜図１０を参照しながら説明されたように、ＬＬ  ＤＭＲＳモジュール７１０によって実行され得る。いくつかの例では、ＵＥ１１５または基地局１０５は、以下で説明される機能を実行するようにＵＥ１１５または基地局１０５の機能要素を制御するためのコードのセットを実行し得る。追加または代替として、ＵＥ１１５または基地局１０５は、専用ハードウェアを使用して、以下で説明される機能態様を実行し得る。方法１７００はまた、図１２〜図１６の方法１２００、１３００、１４００、１５００、および１６００の態様を組み込み得る。
【０１２８】
[0132]ブロック１７０５において、ＵＥ１１５または基地局１０５は、図２〜図６を参照しながら本明細書で説明されたように、第１のＴＴＩ持続時間を有する第１のＴＴＩと第１のＴＴＩ持続時間よりも多い第２のＴＴＩ持続時間を有する第２のＴＴＩとを含むキャリア構成を識別し得る。いくつかの例では、ブロック１７０５の動作は、図８を参照しながら本明細書で説明されたように、ＴＴＩ識別モジュール８０５によって実行され得る。
【０１２９】
[0133]ブロック１７１０において、図２〜図６を参照しながら本明細書で説明されたように、ＵＥ１１５または基地局１０５は、第１のＴＴＩのリソースに関する第１のＤＭＲＳパターンを決定することができ、第１のＤＭＲＳパターンが、第２のＴＴＩのリソースに関する第２のＤＭＲＳパターンに少なくとも部分的に基づく。いくつかの例では、ブロック１７１０の動作は、図８を参照しながら本明細書で説明されたように、ＤＭＲＳパターン決定モジュール８１０によって実行され得る。
【０１３０】
[0134]ブロック１７１５において、ＵＥ１１５または基地局１０５は、図２〜図６を参照しながら本明細書で説明されたように、第１のＤＭＲＳパターンに基づいて第１のＴＴＩのリソースを使用して通信。いくつかの例では、ブロック１７１５の動作は、図８を参照しながら本明細書で説明されたように、ＤＭＲＳベースの復調モジュール８１５によって、および／または図１０を参照しながら説明されたように、トランシーバ１０３５によって実行され得る。
【０１３１】
[0135]ブロック１７２０において、ＵＥ１１５または基地局１０５は、図２〜図６を参照しながら本明細書で説明されたように、第１のＤＭＲＳパターンに少なくとも部分的に基づいて第３のＴＴＩのリソースを使用して通信することができる。いくつかの例では、ブロック１７２０の動作は、図８を参照しながら本明細書で説明されたように、ＤＭＲＳベースの復調モジュール８１５によって、および／または図１０を参照しながら説明されたように、トランシーバ１０３５によって実行され得る。いくつかの例では、第３のＴＴＩは、第２のＴＴＩ持続時間よりも少ない持続時間を有し、いくつかの例では、第３のＴＴＩは、第２のＴＴＩ持続時間を有する。
【０１３２】
[0136]したがって、方法１２００、１３００、１４００、１５００、１６００、および１７００は、ＤＭ−ＲＳベースのＤＬ低レイテンシを可能にし得る。方法１２００、１３００、１４００、１５００、１６００、および１７００は可能な実装形態について説明していることと、動作およびステップは、他の実装形態が可能であるように、並べ替えられるかまたは場合によっては修正され得ることとに留意されたい。いくつかの例では、方法１２００、１３００、１４００、１５００、１６００、および１７００のうちの２つ以上からの態様が組み合わせられ得る。
【０１３３】
[0137]本明細書での説明は、例を与えるものであり、特許請求の範囲に記載される範囲、適用性、または例を限定するものではない。本開示の範囲から逸脱することなく、説明される要素の機能および構成において変更が行われ得る。様々な例は、適宜に、様々な手順または構成要素を省略、置換、または追加し得る。また、いくつかの例に関して説明される特徴は、他の例において組み合わせられ得る。
【０１３４】
[0138]本明細書で説明される技法は、符号分割多元接続（ＣＤＭＡ）、時分割多元接続（ＴＤＭＡ）、周波数分割多元接続（ＦＤＭＡ）、直交周波数分割多元接続（ＯＦＤＭＡ）、シングルキャリア周波数分割多元接続（ＳＣ−ＦＤＭＡ）、および他のシステムなど、様々なワイヤレス通信システムに使用され得る。「システム」および「ネットワーク」という用語はしばしば互換的に使用される。ＣＤＭＡシステムは、ＣＤＭＡ２０００、ユニバーサル地上波無線アクセス（ＵＴＲＡ）などの無線技術を実装することができる。ＣＤＭＡ２０００は、ＩＳ−２０００、ＩＳ−９５およびＩＳ−８５６規格をカバーする。ＩＳ−２０００リリース０およびＡは、一般に、ＣＤＭＡ２０００  １Ｘ、１Ｘなどと呼ばれる。ＩＳ−８５６（ＴＩＡ−８５６）は、一般に、ＣＤＭＡ２０００  １ｘＥＶ−ＤＯ、高速パケットデータ（ＨＲＰＤ）などと呼ばれる。ＵＴＲＡは、広帯域ＣＤＭＡ（ＷＣＤＭＡ（登録商標））とＣＤＭＡの他の変形態とを含む。ＴＤＭＡシステムは、Ｇｌｏｂａｌ  Ｓｙｓｔｅｍ  ｆｏｒ  Ｍｏｂｉｌｅ  Ｃｏｍｍｕｎｉｃａｔｉｏｎｓ（ＧＳＭ（登録商標））などの無線技術を実装することができる。ＯＦＤＭＡシステムは、ウルトラモバイルブロードバンド（ＵＭＢ）、発展型ＵＴＲＡ（Ｅ−ＵＴＲＡ：Evolved UTRA）、ＩＥＥＥ８０２．１１（Ｗｉ−Ｆｉ（登録商標））、ＩＥＥＥ８０２．１６（ＷｉＭＡＸ（登録商標））、ＩＥＥＥ８０２．２０、Ｆｌａｓｈ−ＯＦＤＭなどの無線技術を実装し得る。ＵＴＲＡおよびＥ−ＵＴＲＡは、Ｕｎｉｖｅｒｓａｌ  Ｍｏｂｉｌｅ  Ｔｅｌｅｃｏｍｍｕｎｉｃａｔｉｏｎｓ  ｓｙｓｔｅｍ（ＵＭＴＳ）の一部である。３ＧＰＰ（登録商標）ロングタームエボリューション（ＬＴＥ）およびＬＴＥアドバンスト（ＬＴＥ−Ａ）は、Ｅ−ＵＴＲＡを使用するＵｎｉｖｅｒｓａｌ  Ｍｏｂｉｌｅ  Ｔｅｌｅｃｏｍｍｕｎｉｃａｔｉｏｎｓ  ｓｙｓｔｅｍ（ＵＭＴＳ）の新しいリリースである。ＵＴＲＡ、Ｅ−ＵＴＲＡ、ＵＭＴＳ、ＬＴＥ、ＬＴＥ−Ａ、およびＧｌｏｂａｌ  Ｓｙｓｔｅｍ  ｆｏｒ  Ｍｏｂｉｌｅ  Ｃｏｍｍｕｎｉｃａｔｉｏｎｓ（ＧＳＭ）は、「第３世代パートナーシッププロジェクト」（３ＧＰＰ）と称する団体からの文書に記載されている。ＣＤＭＡ２０００およびＵＭＢは、「第３世代パートナーシッププロジェクト２」（３ＧＰＰ２）と称する団体からの文書に記載されている。本明細書で説明される技法は、上述されたシステムおよび無線技術ならびに他のシステムおよび無線技術に使用される場合がある。しかしながら、本明細書での説明は、例としてＬＴＥシステムを説明し、上記の説明の大部分においてＬＴＥ用語が使用されるが、本技法はＬＴＥの適用例以外に適用可能である。
【０１３５】
[0139]本明細書で説明されるそのようなネットワークを含むＬＴＥ／ＬＴＥ−Ａネットワークでは、発展型ノードＢ（ｅＮＢ）という用語は、概して、基地局を表すために使用され得る。本明細書で説明される１つまたは複数のワイヤレス通信システムは、異なるタイプのｅＮＢが様々な地理的領域にカバレージを提供する異種ＬＴＥ／ＬＴＥ−Ａネットワークを含み得る。たとえば、各ｅＮＢまたは基地局は、マクロセル、スモールセル、または他のタイプのセルに通信カバレージを提供し得る。「セル」という用語は、コンテキストに応じて、基地局、基地局に関連するキャリアもしくはコンポーネントキャリア、またはキャリアもしくは基地局のカバレージエリア（たとえば、セクタなど）を表すために使用され得る３ＧＰＰ用語である。
【０１３６】
[0140]基地局は、基地トランシーバ局、無線基地局、アクセスポイント、無線トランシーバ、ノードＢ、ｅノードＢ（ｅＮＢ）、ホームノードＢ、ホームｅノードＢ、もしくは何らかの他の適切な用語を含むこと、または当業者によってそのように呼ばれることがある。基地局のための地理的カバレージエリアは、カバレージエリアの一部分のみを構成するセクタに分割され得る。本明細書で説明される１つまたは複数のワイヤレス通信システムは、異なるタイプの基地局（たとえば、マクロセル基地局またはスモールセル基地局）を含み得る。本明細書で説明されるＵＥは、マクロｅＮＢ、スモールセルｅＮＢ、リレー基地局などを含む、様々なタイプの基地局およびネットワーク機器と通信することが可能であり得る。異なる技術のための重複する地理的カバレージエリアがあり得る。
【０１３７】
[0141]マクロセルは、概して、比較的大きい地理的エリア（たとえば、半径数キロメートル）をカバーしており、ネットワークプロバイダのサービスに加入しているＵＥによる無制限アクセスを可能にすることができる。スモールセルは、マクロセルと同じまたは異なる（たとえば、免許、免許不要などの）周波数帯域で動作し得る、マクロセルと比較して低電力の基地局である。スモールセルは、様々な例によれば、ピコセルと、フェムトセルと、マイクロセルとを含み得る。ピコセルは、たとえば、小さい地理的エリアをカバーすることができ、ネットワークプロバイダのサービスに加入しているＵＥによる無制限アクセスを可能にすることができる。また、フェムトセルは、小さい地理的エリア（たとえば、自宅）をカバーし得、フェムトセルとの関連を有するＵＥ（たとえば、限定加入者グループ（ＣＳＧ：closed subscriber group）中のＵＥ、自宅内のユーザのためのＵＥなど）による制限付きアクセスを与え得る。マクロセルのためのｅＮＢは、マクロｅＮＢと呼ばれることがある。スモールセルのためのｅＮＢは、スモールセルｅＮＢ、ピコｅＮＢ、フェムトｅＮＢ、またはホームｅＮＢと呼ばれることがある。ｅＮＢは、１つまたは複数（たとえば、２つ、３つ、４つなど）のセル（たとえば、コンポーネントキャリア）をサポートし得る。ＵＥは、マクロｅＮＢ、スモールセルｅＮＢ、リレー基地局などを含む、様々なタイプの基地局およびネットワーク機器と通信することが可能であり得る。
【０１３８】
[0142]本明細書で説明される１つまたは複数のワイヤレス通信システムは、同期動作または非同期動作をサポートし得る。同期動作の場合、基地局は同様のフレームタイミングを有し得、異なる基地局からの送信は時間的にほぼ整合され得る。非同期動作の場合、基地局は、異なるフレームタイミングを有し得、異なる基地局からの送信は、時間的に整合されない場合がある。本明細書で説明される技法は、同期動作または非同期動作のいずれかに使用され得る。
【０１３９】
[0143]本明細書で説明されるダウンリンク送信は、順方向リンク送信と呼ばれることもあり、アップリンク送信は、逆方向リンク送信と呼ばれることもある。たとえば、図１および図２のワイヤレス通信システム１００および２００を含む、本明細書で説明される各通信リンクは、１つまたは複数のキャリアを含むことができ、各キャリアが複数のサブキャリアからなる信号（たとえば、異なる周波数の波形信号）であり得る。各々の変調された信号は、異なるサブキャリア上で送られることがあり、制御情報（たとえば、基準信号、制御チャネルなど）、オーバーヘッド情報、ユーザデータなどを搬送することがある。本明細書で説明される通信リンク（たとえば、図１の通信リンク１２５）は、（たとえば、対スペクトルリソースを使用する）周波数分割複信（ＦＤＤ）動作、または（たとえば、不対スペクトルリソースを使用する）ＴＤＤ動作を使用して、双方向通信を送信することができる。ＦＤＤ（たとえば、フレーム構造タイプ１）およびＴＤＤ（たとえば、フレーム構造タイプ２）について、フレーム構造が定義される場合がある。
【０１４０】
[0144]添付の図面に関して本明細書に記載された説明は、例示的な構成について説明しており、実装され得るまたは特許請求の範囲内に入るすべての例を表すとは限らない。本明細書で使用される「例示的」という用語は、「例、事例、または例示の働きをすること」を意味し、「好ましい」または「他の例よりも有利な」を意味しない。詳細な説明は、説明される技法の理解を与えるための具体的な詳細を含む。ただし、これらの技法は、これらの具体的な詳細なしに実施され得る。いくつかの事例では、説明される例の概念を不明瞭にすることを回避するために、よく知られている構造およびデバイスがブロック図の形式で示されている。
【０１４１】
[0145]添付の図では、同様の構成要素または特徴は、同じ参照ラベルを有し得る。さらに、同じタイプの様々な構成要素が、参照ラベルの後に、ダッシュと、同様の構成要素を区別する第２のラベルとを続けることによって区別され得る。第１の参照ラベルだけが本明細書において使用される場合、その説明は、第２の参照ラベルにかかわらず、同じ第１の参照ラベルを有する同様の構成要素のいずれにも適用可能である。
【０１４２】
[0146]本明細書で説明される情報および信号は、多種多様な技術および技法のいずれかを使用して表され得る。たとえば、上の説明全体にわたって参照され得るデータ、命令、コマンド、情報、信号、ビット、シンボル、およびチップは、電圧、電流、電磁波、磁場もしくは磁気粒子、光場もしくは光粒子、またはそれらの任意の組合せによって表され得る。
【０１４３】
[0147]本明細書の開示に関して説明される様々な例示的なブロックおよびモジュールは、汎用プロセッサ、ＤＳＰ、ＡＳＩＣ、ＦＰＧＡもしくは他のプログラマブル論理デバイス、個別ゲートもしくはトランジスタ論理、個別ハードウェア構成要素、または本明細書で説明される機能を実行するように設計されたそれらの任意の組合せを用いて実装または実行され得る。汎用プロセッサはマイクロプロセッサであり得るが、代替として、プロセッサは、任意の従来のプロセッサ、コントローラ、マイクロコントローラ、またはステートマシンであり得る。プロセッサはまた、コンピューティングデバイスの組合せ（たとえば、デジタル信号プロセッサ（ＤＳＰ）とマイクロプロセッサの組合せ、複数のマイクロプロセッサ、ＤＳＰコアと連携する１つもしくは複数のマイクロプロセッサ、または任意の他のそのような構成）として実装され得る。
【０１４４】
[0148]本明細書で説明される機能は、ハードウェア、プロセッサによって実行されるソフトウェア、ファームウェア、またはそれらの任意の組合せで実装され得る。プロセッサによって実行されるソフトウェアで実装される場合、機能は、１つまたは複数の命令またはコードとしてコンピュータ可読媒体上に記憶されるか、あるいはコンピュータ可読媒体を介して送信され得る。他の例および実装形態は、本開示の範囲および添付の特許請求の範囲内に入る。たとえば、ソフトウェアの性質により、上記で説明された機能は、プロセッサによって実行されるソフトウェア、ハードウェア、ファームウェア、ハードワイヤリング、またはこれらのうちのいずれかの組合せを使用して実装され得る。機能を実装する特徴はまた、異なる物理的位置において機能の部分が実装されるように分散されることを含めて、様々な位置に物理的に配置され得る。また、特許請求の範囲を含めて、本明細書で使用される場合、項目の列挙（たとえば、「のうちの少なくとも１つ」あるいは「のうちの１つまたは複数」などの句で終わる項目の列挙）中で使用される「または」は、たとえば、Ａ、Ｂ、またはＣのうちの少なくとも１つの列挙が、ＡまたはＢまたはＣまたはＡＢまたはＡＣまたはＢＣまたはＡＢＣ（すなわち、ＡおよびＢおよびＣ）を意味するような包括的列挙を示す。
【０１４５】
[0149]当業者に知られている、または後に知られることになる、本開示全体にわたって説明される様々な態様の要素のすべての構造的および機能的均等物は、参照により本明細書に明確に組み込まれ、特許請求の範囲に包含されるものである。その上、本明細書で開示されたいかなることも、そのような開示が特許請求の範囲に明示的に具陳されているかどうかにかかわらず、公に供されるものではない。「モジュール」、「機構」、「要素」、「デバイス」などという単語は、「手段」という単語の代用でないことがある。したがって、いかなるクレーム要素も、その要素が「のための手段」という語句を使用して明確に具陳されていない限り、ミーンズプラスファンクションとして解釈されるべきではない。
【０１４６】
[0150]コンピュータ可読媒体は、ある場所から別の場所へのコンピュータプログラムの転送を可能にする任意の媒体を含む、非一時的コンピュータ記憶媒体と通信媒体の両方を含む。非一時的記憶媒体は、汎用または専用コンピュータによってアクセスされ得る任意の利用可能な媒体であり得る。限定ではなく例として、非一時的コンピュータ可読媒体は、ＲＡＭ、ＲＯＭ、電気的消去可能プログラマブル読取り専用メモリ（ＥＥＰＲＯＭ（登録商標））、コンパクトディスク（ＣＤ）ＲＯＭまたは他の光ディスクストレージ、磁気ディスクストレージまたは他の磁気ストレージデバイス、あるいは命令またはデータ構造の形態の所望のプログラムコード手段を搬送または記憶するために使用され得、汎用もしくは専用コンピュータまたは汎用もしくは専用プロセッサによってアクセスされ得る任意の他の非一時的媒体を備えることができる。また、いかなる接続もコンピュータ可読媒体と適切に呼ばれる。たとえば、ソフトウェアが、同軸ケーブル、光ファイバケーブル、ツイストペア、デジタル加入者回線（ＤＳＬ）、または赤外線、無線、およびマイクロ波などのワイヤレス技術を使用してウェブサイト、サーバ、または他のリモートソースから送信される場合、同軸ケーブル、光ファイバケーブル、ツイストペア、ＤＳＬ、または赤外線、無線、およびマイクロ波などのワイヤレス技術は、媒体の定義に含まれる。本明細書で使用されるディスク（disk）およびディスク（disc）は、ＣＤ、レーザーディスク（登録商標）（disc）、光ディスク（disc）、デジタル多用途ディスク（disc）（ＤＶＤ）、フロッピー（登録商標）ディスク（disk）、およびＢｌｕ−ｒａｙ（登録商標）ディスク（disc）を含み、ここで、ディスク（disk）は、通常、データを磁気的に再生し、ディスク（disc）は、データをレーザーで光学的に再生する。上記のものの組合せもコンピュータ可読媒体の範囲内に含まれる。
【０１４７】
[0151]本明細書での説明は、当業者が本開示を作成または使用することができるように与えられたものである。本開示への様々な変更は当業者には容易に明らかとなり、本明細書で定義された一般原理は、本開示の範囲から逸脱することなく他の変形形態に適用され得る。したがって、本開示は、本明細書で説明される例および設計に限定されるべきでなく、本明細書で開示された原理および新規の特徴に合致する最も広い範囲を与えられるべきである。
以下に本願の出願当初の特許請求の範囲に記載された発明を付記する。
［Ｃ１］
ワイヤレス通信の方法であって、
第１の送信時間間隔（ＴＴＩ）持続時間を有する第１のＴＴＩと前記第１のＴＴＩ持続時間よりも多い第２のＴＴＩ持続時間を有する第２のＴＴＩとで構成されたキャリア構成を識別することと、
前記第１のＴＴＩのリソースに関する第１の復調基準信号（ＤＭＲＳ）パターンを決定することと、ここにおいて、前記第１のＤＭＲＳパターンが、前記第２のＴＴＩのリソースに関する第２のＤＭＲＳパターンに少なくとも部分的に基づく、
前記第１のＤＭＲＳパターンに少なくとも部分的に基づいて前記第１のＴＴＩのリソースを使用して通信することと
を備える方法。
［Ｃ２］
前記第１のＤＭＲＳパターンは、送信ランクに少なくとも部分的に基づくポート多重化で構成される、Ｃ１に記載の方法。
［Ｃ３］
前記ポート多重化は直交カバーコード（ＯＣＣ）を備える、Ｃ２に記載の方法。
［Ｃ４］
前記第２のＴＴＩは、ロングタームエボリューション（ＬＴＥ）サブフレームを備え、前記第１のＴＴＩは、１つまたは複数のＬＴＥシンボル期間を備える、Ｃ１に記載の方法。
［Ｃ５］
前記第１のＤＭＲＳパターンおよび前記第２のＤＭＲＳパターンは、符号分割多重（ＣＤＭ）もしくは周波数分割多重（ＦＤＭ）、または両方である、Ｃ１に記載の方法。
［Ｃ６］
前記第１のＤＭＲＳパターンを示すシグナリングを受信することをさらに備え、前記第１のＤＭＲＳパターンが決定論的パターンを備える、Ｃ１に記載の方法。
［Ｃ７］
前記第１のＤＭＲＳパターンを示す前記シグナリングは、ポート値、ＯＣＣ、もしくは低レイテンシデータチャネルおよび低レイテンシ制御チャネルの関係、またはそれらの任意の組合せのうちの少なくとも１つを備える、Ｃ６に記載の方法。
［Ｃ８］
前記第２のＴＴＩの制御領域を識別することと、
前記第２のＴＴＩの前記制御領域内の前記第１のＴＴＩ中に前記第１のＤＭＲＳパターンを使用する通信を控えることと
をさらに備える、Ｃ１に記載の方法。
［Ｃ９］
前記第２のＴＴＩ持続時間よりも少ない第３の持続時間を有する第３のＴＴＩを識別することと、
前記第３のＴＴＩのリソースに関するセル固有基準信号（ＣＲＳ）パターンを決定することと、
前記ＣＲＳパターンに少なくとも部分的に基づいて前記第３のＴＴＩのリソースを使用して通信することと
をさらに備える、Ｃ１に記載の方法。
［Ｃ１０］
前記第１のＤＭＲＳパターンに少なくとも部分的に基づいて、前記第１のＴＴＩに関連する第１の低レイテンシ制御チャネル探索空間を監視することと、
前記ＣＲＳパターンに少なくとも部分的に基づいて、前記第３のＴＴＩに関連する第２の低レイテンシ制御チャネル探索空間を監視することと
をさらに備える、Ｃ９に記載の方法。
［Ｃ１１］
前記第１のＴＴＩにおける制御チャネル探索空間を監視することをさらに備え、前記監視することが、前記第１のＤＭＲＳパターンまたはＣＲＳパターンに少なくとも部分的に基づく、Ｃ１に記載の方法。
［Ｃ１２］
前記第１のＴＴＩの前記リソースは、同じプリコーディングを有するリソースブロックのバンドルを備える、Ｃ１に記載の方法。
［Ｃ１３］
スクランブリング識別情報を含むシグナリングを受信することをさらに備え、通信することが、前記スクランブリング識別情報に少なくとも部分的に基づいて、前記第１のＤＭＲＳパターンのＤＭＲＳシンボルを前記第２のＤＭＲＳパターンのＤＭＲＳシンボルと区別することを備える、Ｃ１に記載の方法。
［Ｃ１４］
前記第１のＤＭＲＳパターンに少なくとも部分的に基づいて少なくとも１つのポートを決定すること
をさらに備える、Ｃ１に記載の方法。
［Ｃ１５］
前記第１のＴＴＩのリソースを使用して前記通信することは、送信ランクに少なくとも部分的に基づく、Ｃ１に記載の方法。
［Ｃ１６］
前記第１のＤＭＲＳパターンに少なくとも部分的に基づいて第３のＴＴＩのリソースを使用して通信すること
をさらに備える、Ｃ１に記載の方法。
［Ｃ１７］
前記第３のＴＴＩは第３のＴＴＩ持続時間を有し、前記第２のＴＴＩ持続時間よりも少ない前記第３のＴＴＩ持続時間、Ｃ１６に記載の方法。
［Ｃ１８］
前記第３のＴＴＩは前記第２のＴＴＩ持続時間を有する、Ｃ１６に記載の方法。
［Ｃ１９］
ワイヤレス通信のための装置であって、
第１の送信時間間隔（ＴＴＩ）持続時間を有する第１のＴＴＩと前記第１のＴＴＩ持続時間よりも多い第２のＴＴＩ持続時間を有する第２のＴＴＩとで構成されたキャリア構成を識別するための手段と、
前記第１のＴＴＩのリソースに関する第１の復調基準信号（ＤＭＲＳ）パターンを決定するための手段と、ここにおいて、前記第１のＤＭＲＳパターンが、前記第２のＴＴＩのリソースに関する第２のＤＭＲＳパターンに少なくとも部分的に基づく、
前記第１のＤＭＲＳパターンに少なくとも部分的に基づいて前記第１のＴＴＩのリソースを使用して通信するための手段と
を備える装置。
［Ｃ２０］
前記第１のＤＭＲＳパターンを示すシグナリングを受信するための手段をさらに備え、前記第１のＤＭＲＳパターンが決定論的パターンを備える、Ｃ１９に記載の装置。
［Ｃ２１］
前記第２のＴＴＩの制御領域を識別するための手段と、前記第２のＴＴＩが前記第１のＴＴＩを備える、
前記第２のＴＴＩの前記制御領域内の前記第１のＴＴＩ中に前記第１のＤＭＲＳパターンを使用する通信を控えるための手段と
をさらに備える、Ｃ１９に記載の装置。
［Ｃ２２］
前記第２のＴＴＩ持続時間よりも少ない第３のＴＴＩ持続時間を有する第３のＴＴＩを識別するための手段と、
前記第３のＴＴＩのリソースに関するセル固有基準信号（ＣＲＳ）パターンを決定するための手段と、
前記ＣＲＳパターンに少なくとも部分的に基づいて前記第３のＴＴＩのリソースを使用して通信するための手段と
をさらに備える、Ｃ１９に記載の装置。
［Ｃ２３］
前記第１のＤＭＲＳパターンに少なくとも部分的に基づいて、前記第１のＴＴＩに関連する第１の低レイテンシ制御チャネル探索空間を監視するための手段と、
前記ＣＲＳパターンに少なくとも部分的に基づいて、前記第３のＴＴＩに関連する第２の低レイテンシ制御チャネル探索空間を監視するための手段と
をさらに備える、Ｃ２２に記載の装置。
［Ｃ２４］
前記第１のＴＴＩにおける制御チャネル探索空間を監視するための手段をさらに備え、監視するための前記手段が、前記第１のＤＭＲＳパターンまたはＣＲＳパターンに少なくとも部分的に基づいて動作可能である、Ｃ１９に記載の装置。
［Ｃ２５］
スクランブリング識別情報を含むシグナリングを受信するための手段をさらに備え、通信するための前記手段が、前記スクランブリング識別情報に基づいて、前記第１のＤＭＲＳパターンのＤＭＲＳシンボルを前記第２のＤＭＲＳパターンのＤＭＲＳシンボルと区別するように動作可能である、Ｃ１９に記載の装置。
［Ｃ２６］
前記第１のＤＭＲＳパターンに少なくとも部分的に基づいて少なくとも１つのポートを決定するための手段
をさらに備える、Ｃ１９に記載の装置。
［Ｃ２７］
前記第１のＤＭＲＳパターンに少なくとも部分的に基づいて第３のＴＴＩのリソースを使用して通信するための手段をさらに備え、前記第３のＴＴＩが第３の持続時間を有し、前記第３のＴＴＩ持続時間が前記第２のＴＴＩ持続時間よりも少ない、Ｃ１９に記載の装置。
［Ｃ２８］
前記第１のＤＭＲＳパターンに少なくとも部分的に基づいて第３のＴＴＩのリソースを使用して通信するための手段をさらに備え、前記第３のＴＴＩが、前記第２のＴＴＩ持続時間に等しい持続時間を有する、Ｃ１９に記載の装置。
［Ｃ２９］
ワイヤレス通信のための装置であって、
プロセッサと、
前記プロセッサと電子通信しているメモリと、
前記メモリに記憶された命令とを備え、前記命令は、前記プロセッサによって実行されたとき、前記装置に、
第１の送信時間間隔（ＴＴＩ）持続時間を有する第１のＴＴＩと前記第１のＴＴＩ持続時間よりも多い第２のＴＴＩ持続時間を有する第２のＴＴＩとで構成されたキャリア構成を識別することと、
前記第１のＴＴＩのリソースに関する第１の復調基準信号（ＤＭＲＳ）パターンを決定することと、ここにおいて、前記第１のＤＭＲＳパターンが、前記第２のＴＴＩのリソースに関する第２のＤＭＲＳパターンに少なくとも部分的に基づく、
前記第１のＤＭＲＳパターンに少なくとも部分的に基づいて前記第１のＴＴＩのリソースを使用して通信することと
を行わせるように動作可能である、装置。
［Ｃ３０］
ワイヤレス通信のためのコードを記憶する非一時的コンピュータ可読媒体であって、前記コードは、
第１の送信時間間隔（ＴＴＩ）持続時間を有する第１のＴＴＩと前記第１のＴＴＩ持続時間よりも多い第２のＴＴＩ持続時間を有する第２のＴＴＩとで構成されたキャリア構成を識別することと、
前記第１のＴＴＩのリソースに関する第１の復調基準信号（ＤＭＲＳ）パターンを決定することと、ここにおいて、前記第１のＤＭＲＳパターンが、前記第２のＴＴＩのリソースに関する第２のＤＭＲＳパターンに少なくとも部分的に基づく、
前記第１のＤＭＲＳパターンに少なくとも部分的に基づいて前記第１のＴＴＩのリソースを使用して通信することと
を行うように実行可能な命令を備える、非一時的コンピュータ可読媒体。
【図１】
0006599474.tif 000004
【図２】
0006599474.tif 000005
【図３】
0006599474.tif 000006
【図４】
0006599474.tif 000007
【図５】
0006599474.tif 000008
【図６】
0006599474.tif 000009
【図７】
0006599474.tif 000010
【図８】
0006599474.tif 000011
【図９】
0006599474.tif 000012
【図１０】
0006599474.tif 000013
【図１１】
0006599474.tif 000014
【図１２】
0006599474.tif 000015
【図１３】
0006599474.tif 000016
【図１４】
0006599474.tif 000017
【図１５】
0006599474.tif 000018
【図１６】
0006599474.tif 000019
【図１７】
0006599474.tif 000020